(57)【要約】      （修正有）【課題】デュアルコネクティビティのためにアップリンク電力の共用を可能にするシステムおよび方法を提供する。【解決手段】各リンク上の最大アップリンク（ＵＬ）電力が、静的、準静的、または動的に設定される。２つの同時リンク上の無線デバイスからのアップリンク送信のためのアップリンク電力は、全アップリンク電力が最大ＵＬ送信電力レベルを超えないように、制御される。さらに、２つのリンクの優先順位および／または２つのリンク上で無線デバイスによって送信される様々なアップリンクチャネルの優先順位を考慮して、制御される。デュアル接続に焦点を合わせているが、２またはそれよりも多い任意の数の同時リンクに容易に拡張できる。【選択図】図２１
2020080536.tif 000002
【特許請求の範囲】
【請求項１】
無線通信ネットワーク（１０）における第１の無線ネットワークノード（１４）への第１のリンクと、前記無線通信ネットワーク（１０）における第２の無線ネットワークノード（１６）への第２のリンクとを有する無線デバイス（１２）を動作させる方法であって、前記第１のリンクと前記第２のリンクとが同時リンクであり、
前記無線デバイス（１２）から前記第１の無線ネットワークノード（１４）への前記第１のリンクに対する第１の最大送信電力レベルと、前記無線デバイス（１２）から前記第２の無線ネットワークノード（１６）への前記第２のリンクに対する第２の最大送信電力レベルとを決定することであって、前記第１の最大送信電力レベルと前記第２の最大送信電力レベルとのそれぞれが最大許容可能送信電力レベルの関数である、決定する（１００、４０４、７００、９００）ことと、
前記第１のリンクおよび前記第２のリンク上で、前記第１の最大送信電力レベルと前記第２の最大送信電力レベルとにそれぞれ従って送信をする（１０２、４０６、７０２、９０２）ことと、
を備える方法。
【請求項２】
前記第１の最大送信電力レベルと前記第２の最大送信電力レベルとの和が前記最大許容可能送信電力レベル以下である、請求項１に記載の方法。
【請求項３】
前記第１の最大送信電力レベルと前記第２の最大送信電力レベルとが静的に規定される、請求項２に記載の方法。
【請求項４】
前記第１の最大送信電力レベルと前記第２の最大送信電力レベルとを決定することは、前記第１の最大送信電力レベルと前記第２の最大送信電力レベルとを、それぞれ前記最大許容可能送信電力レベルに関する比として規定される前記第１の最大送信電力レベル及び前記第２の最大送信電力レベルの静的な規定に従い、決定することを含む、請求項２に記載の方法。
【請求項５】
前記第１の最大送信電力レベルと前記第２の最大送信電力レベルとを決定することが、
前記第１のリンクの特定のサブフレームについて、前記第１のリンクの前記特定のサブフレームに対する前記第１の最大送信電力レベルを、前記第１のリンクの前記特定のサブフレームの最大許容可能送信電力に関する第１の比として規定される前記第１の最大送信電力レベルの静的規定に従い、決定する（２０２）ことと、
前記第１のリンクの前記特定のサブフレームと同期する送信または前記第１のリンクの前記特定のサブフレームと非同期であり部分的に重複する送信のいずれかである前記第２のリンクの特定のサブフレームについて、前記第２のリンクの前記特定のサブフレームに対する前記第２の最大送信電力レベルを、前記第２のリンクの前記特定のサブフレームに対する最大許容可能送信電力に関する第２の比として規定される前記第２の最大送信電力レベルの静的規定に従い、決定する（２０２）ことと、
を含む、請求項２に記載の方法。
【請求項６】
前記最大許容可能送信電力レベルがサブフレームごとに変動する、請求項１に記載の方法。
【請求項７】
前記第１の比と前記第２の比との和が１以下である、請求項４または５に記載の方法。
【請求項８】
前記第１の最大送信電力レベルと前記第２の最大送信電力レベルとを決定することが、前記第１および／または第２のリンク上で前記無線デバイス（１２）が用いるアップリンクアンテナポートの個数と、前記第１および第２のリンクの一方または両方の上でのアップリンク送信が設定されたサービングセルの個数と、前記第１および第２のリンクの一方または両方の上で無線デバイス（１２）が割り当てられることが予想されるリソースブロックの平均個数とから構成されるグループにおける１つまたは複数のファクタに基づき、前記第１の最大送信電力レベルと前記第２の最大送信電力レベルとに値を静的に割り当てる（３００）ことを含む、請求項２に記載の方法。
【請求項９】
前記第１の最大送信電力レベルと前記第２の最大送信電力レベルとが準静的に規定される、請求項２に記載の方法。
【請求項１０】
前記第１の最大送信電力レベルと前記第２の最大送信電力レベルとを決定することが、
前記第１のリンクの特定のサブフレームについて、前記第１のリンクの前記特定のサブフレームに対する前記第１の最大送信電力レベルを、前記第１のリンクの前記特定のサブフレームの最大許容可能送信電力に関する第１の比として規定される前記第１の最大送信電力レベルの準静的規定に従い、決定する（５０２）ことと、
前記第１のリンクの前記特定のサブフレームと同期する送信または前記第１のリンクの前記特定のサブフレームと非同期であり部分的に重複する送信のいずれかである前記第２のリンクの特定のサブフレームについて、前記第２のリンクの前記特定のサブフレームに対する前記第２の最大送信電力レベルを、前記第２のリンクの前記特定のサブフレームの前記最大許容可能送信電力に関する第２の比として前記第２の最大送信電力レベルの準静的規定に従い、決定する（５０２）ことと、
を備える、請求項２に記載の方法。
【請求項１１】
前記第１の比と前記第２の比との和が１以下である、請求項１０に記載の方法。
【請求項１２】
前記第１の最大送信電力レベルと前記第２の最大送信電力レベルとが、ある時間周期にわたる既知のパターンに従って準静的に規定される、請求項２に記載の方法。
【請求項１３】
前記第１のリンクおよび前記第２のリンク上で、前記第１の最大送信電力レベルと前記第２の最大送信電力レベルとにそれぞれ従って送信をすることが、前記第１のリンクに対する計算された送信電力レベルが前記第１の最大送信電力レベルよりも高い場合には、前記第１の最大送信電力レベルに従って、前記第１のリンク上で送信をすることを備える、請求項１に記載の方法。
【請求項１４】
前記無線デバイス（１２）から前記第１の無線ネットワークノード（１４）への前記第１のリンクに対する前記第１の最大送信電力レベルと、前記無線デバイス（１２）から前記第２の無線ネットワークノード（１６）への前記第２のリンクに対する前記第２の最大送信電力レベルとを決定することが、各サブフレームに対し、前記無線デバイス（１２）から前記第１の無線ネットワークノード（１４）への前記第１のリンクに対する前記第１の最大送信電力レベルと、前記無線デバイス（１２）から前記第２の無線ネットワークノード（１６）への前記第２のリンクに対する前記第２の最大送信電力レベルと、を動的に決定する（７００）ことを備える、請求項１に記載の方法。
【請求項１５】
前記第１および第２のリンクが、非同期であり重複する送信を有しており、
各サブフレームに対し、前記無線デバイス（１２）から前記第１の無線ネットワークノード（１４）への前記第１のリンクに対する前記第１の最大送信電力レベルと、前記無線デバイス（１２）から前記第２の無線ネットワークノード（１６）への前記第２のリンクに対する前記第２の最大送信電力レベルとを動的に決定することが、
前記第１のリンクの特定のサブフレームに対して、前記第１のリンクの前記特定のサブフレームと前記第２のリンクの重複するサブフレームとの間の部分的重複を考慮に入れながら、前記第１のリンクの前記特定のサブフレームに対する前記第１の最大送信電力レベルを決定する（９００）ことを備える、請求項１４に記載の方法。
【請求項１６】
前記第２のリンクの重複するサブフレームが、前記第１のリンクの前記特定のサブフレームの開始後であり前記第１のリンクの前記特定のサブフレームの終了前である時刻において終了する前記第２のリンクのサブフレームである、請求項１５に記載の方法。
【請求項１７】
前記第１のリンクの前記特定のサブフレームと前記第２のリンクの前記重複するサブフレームとの間の前記部分的重複を考慮に入れながら、前記第１のリンクの前記特定のサブフレームに対する前記第１の最大送信電力レベルを決定することが、前記第１のリンクの前記特定のサブフレームと前記第２のリンクの重複するサブフレームとの全送信電力が前記第１のリンクの前記特定のサブフレームに対する最大許容可能送信電力以下であるように、前記第１のリンクの前記特定のサブフレームに対する前記第１の最大送信電力レベルを決定することを備える、請求項１５または１６に記載の方法。
【請求項１８】
前記第１および第２のリンクが非同期であり重複する送信を有しており、
前記方法が、
前記第１のリンクのサブフレームと前記第２のリンクの重複するサブフレームとにわたる全送信電力が前記第１のリンクの前記サブフレームに対する最大許容可能送信電力レベルを超えるかどうかを決定する（１３００）ことと、
前記第１のリンクの前記サブフレームと前記第２のリンクの前記重複するサブフレームとにわたる前記全送信電力が前記第１のリンクの前記サブフレームに対する最大許容可能送信電力レベルを超える場合には、スケーリングの後に前記第１のリンクの前記サブフレームと前記第２のリンクの前記重複するサブフレームとにわたる前記全送信電力が前記第１のリンクの前記サブフレームに対する前記最大許容可能送信電力レベルを超えないように、前記第１のリンクの前記サブフレームにおけるアップリンクチャネルまたは信号に対する送信電力レベルをスケーリングする（１３０２）ことと、
をさらに備える、請求項１４に記載の方法。
【請求項１９】
前記第１および第２のリンクが非同期であり重複する送信を有しており、
各サブフレームに対し、前記無線デバイス（１２）から前記第１の無線ネットワークノード（１４）への前記第１のリンクに対する前記第１の最大送信電力レベルと、前記無線デバイス（１２）から前記第２の無線ネットワークノード（１６）への前記第２のリンクに対する前記第２の最大送信電力レベルとを動的に決定することが、
前記第１のリンクの特定のサブフレームに対し、前記第１のリンクの前記特定のサブフレームと前記第２のリンクの２つの連続するサブフレームとの間の部分的重複を考慮に入れながら、前記第１のリンクの前記特定のサブフレームに対する前記第１の最大送信電力レベルを決定する（７００）ことを備える、請求項１４に記載の方法。
【請求項２０】
前記第２のリンクの２つの重複するサブフレームが、
前記第１のリンクの前記特定のサブフレームの開始後であり前記第１のリンクの前記特定のサブフレームの終了前である時刻において終了する前記第２のリンクのサブフレームである第１の重複するサブフレームと、
前記第１の重複するサブフレームの終了時に開始し前記第１のリンクの前記特定のサブフレームの終了後の時刻において終了する前記第２のリンクのサブフレームである第２の重複するサブフレームと、
から構成される、請求項１９に記載の方法。
【請求項２１】
前記第１のリンクの前記特定のサブフレームと前記第２のリンクの前記２つの重複するサブフレームとの間の前記部分的重複を考慮に入れながら、前記第１のリンクの前記特定のサブフレームに対する前記第１の最大送信電力レベルを決定することが、
前記第１のリンクの前記特定のサブフレームと前記第２のリンクのサブフレームである前記第１の重複するサブフレームとの全送信電力が、前記第１のリンクの前記特定のサブフレームに対する前記最大許容可能送信電力以下であるように、前記第１のリンクの前記特定のサブフレームに対する前記第１の最大送信電力レベルを決定することを備える、請求項１９または２０に記載の方法。
【請求項２２】
前記第１のリンクの前記特定のサブフレームと前記第２のリンクの前記重複するサブフレームとの少なくとも一方が、少なくとも２つの同時チャネルを備えており、前記第１のリンクの前記特定のサブフレームに対する前記第１の最大送信電力レベルを決定することが、前記第１のリンクの前記特定のサブフレームと前記第２のリンクの前記重複するサブフレームとの間の前記部分的重複における前記少なくとも２つの同時チャネルの送信電力を考慮に入れながら、前記第１のリンクの前記特定のサブフレームの前記第１の最大送信電力レベルを決定することを備える、請求項１５または１９に記載の方法。
【請求項２３】
前記第１のリンクと前記第２のリンクとの少なくとも一方が複数のサービングセルを有しており、
前記第１のリンクの前記特定のサブフレームに対する前記第１の最大送信電力レベルを決定することが、
前記第１のリンクの前記特定のサブフレームと前記第２のリンクの前記重複するサブフレームとの間の前記部分的重複における前記複数のサービングセルのすべてに対する送信電力を考慮に入れながら、前記第１のリンクの前記特定のサブフレームの前記第１の最大送信電力を決定することを備える、請求項１５または１９に記載の方法。
【請求項２４】
各サブフレームに対し、前記無線デバイス（１２）から前記第１の無線ネットワークノード（１４）への前記第１のリンクに対する前記第１の最大送信電力レベルと、前記無線デバイス（１２）から前記第２の無線ネットワークノード（１６）への前記第２のリンクに対する前記第２の最大送信電力レベルとを動的に決定することが、
前記第１のリンクおよび前記第２のリンク上で送信されるチャネルに対する送信電力レベルを計算する（１４０２）ことと、
前記無線デバイス（１２）の全送信電力が最大許容可能送信電力レベルを超えないように、前記第１のリンク上で送信されるチャネルに第１のスケーリングファクタを適用することにより前記第１の最大送信電力レベルを決定することによって、前記第１のリンクおよび前記第２のリンク上で送信される前記チャネルに対する前記送信電力レベルのスケーリングを実行する（１４０４）ことと、
を備える、請求項１５に記載の方法。
【請求項２５】
前記第１のスケーリングファクタと第２のスケーリングファクタとが前記無線デバイス（１２）によって決定される、請求項２４に記載の方法。
【請求項２６】
請求項１から２５のいずれか一項に記載の方法に従って動作する無線デバイス（１２）。
【請求項２７】
無線通信ネットワーク（１０）における第１の無線ネットワークノード（１４）への第１のリンクと、前記無線通信ネットワーク（１０）における第２の無線ネットワークノード（１６）への第２のリンクとを有しており、前記第１のリンクと前記第２のリンクとが同時リンクである、無線デバイス（１２）であって、
前記無線デバイス（１２）から前記第１の無線ネットワークノード（１４）への前記第１のリンクに対する第１の最大送信電力レベルと、前記無線デバイス（１２）から前記第２の無線ネットワークノード（１６）への前記第２のリンクに対する第２の最大送信電力レベルとを決定するための手段であって、前記第１の最大送信電力レベルと前記第２の最大送信電力レベルとのそれぞれが最大許容可能送信電力レベルの関数である、手段と、
前記第１のリンクおよび前記第２のリンク上で、前記第１の最大送信電力レベルと前記第２の最大送信電力レベルとにそれぞれ従って送信をするための手段と、
を備える無線デバイス（１２）。
【請求項２８】
無線通信ネットワーク（１０）における第１の無線ネットワークノード（１４）への第１のリンクと、前記無線通信ネットワーク（１０）における第２の無線ネットワークノード（１６）への第２のリンクとを有しており、前記第１のリンクと前記第２のリンクとが同時リンクである、無線デバイス（１２、３６）であって、
送信機（４４）と、
少なくとも１つのプロセッサ（３８）と、
メモリ（４０）であって、前記少なくとも１つのプロセッサ（３８）によって実行可能なソフトウェア命令を包含することにより、前記無線デバイス（１２、３６）が、
前記無線デバイス（１２、３６）から前記第１の無線ネットワークノード（１４）への前記第１のリンクに対する第１の最大送信電力レベルと、前記無線デバイス（１２）から前記第２の無線ネットワークノード（１６）への前記第２のリンクに対する第２の最大送信電力レベルとを決定し、
前記送信機（４４）を経由して、前記第１のリンクおよび前記第２のリンク上で、前記第１の最大送信電力レベルと前記第２の最大送信電力レベルとにそれぞれ従って送信をする、
ように動作する、メモリ（４０）と、
を備えており、前記第１の最大送信電力レベルと前記第２の最大送信電力レベルとのそれぞれが最大許容可能送信電力レベルの関数である、無線デバイス（１２、３６）。
【請求項２９】
少なくとも１つのプロセッサの上で実行されると、前記少なくとも１つのプロセッサに、請求項１から２５のいずれか一項に記載された方法を行わせる命令を備えるコンピュータプログラム。
【請求項３０】
請求項２９の前記コンピュータプログラムを包含しており、電子信号、光信号、無線信号、またはコンピュータ可読記憶媒体のうちの１つである、キャリア。
【請求項３１】
無線通信ネットワーク（１０）における第１の無線ネットワークノード（１４）への第１のリンクと、前記無線通信ネットワーク（１０）における第２の無線ネットワークノード（１６）への第２のリンクとを有する無線デバイス（１２）の動作の方法であって、前記第１のリンクと前記第２のリンクとが同時リンクであり、
前記第１のリンクと関連する第１の優先順位と前記第２のリンクと関連する第２の優先順位とに従い、第１の送信電力を前記第１のリンクに、第２の送信電力を前記第２のリンクに割り当てる（１５００）ことと、
前記第１の送信電力と前記第２の送信電力とにそれぞれ従い、前記第１のリンクおよび前記第２のリンク上で送信をする（１５０２）ことと、
を備える方法。
【請求項３２】
前記第１のリンクと関連する前記第１の優先順位が前記第２のリンクと関連する前記第２の優先順位よりも高い場合には、前記第２の送信電力を前記第２のリンクに割り当てる前に、前記第１の送信電力が前記第１のリンクに割り当てられる、請求項３１に記載の方法。
【請求項３３】
前記第１の送信電力を前記第１のリンクに、前記第２の送信電力を前記第２のリンクに割り当てることが、
前記第１の優先順位が前記第２の優先順位よりも大きな場合には、第１の最大送信電力レベルを前記第１のリンクに割り当て、残りの送信電力を前記第２のリンクに割り当てることを備え、
前記第２の優先順位が前記第１の優先順位よりも大きな場合には、第２の最大送信電力レベルを前記第２のリンクに割り当て、残りの送信電力を前記第１のリンクに割り当てることを備える、請求項３１に記載の方法。
【請求項３４】
前記第１のリンク上で送信されるチャネルに基づき前記第１の優先順位を前記第１のリンクに関連させることと、前記第２のリンク上で送信されるチャネルに基づき前記第２の優先順位を前記第２のリンクに関連させることとをさらに備える、請求項３１から３３のいずれか一項に記載の方法。
【請求項３５】
前記第１のリンク上で伝送される前記１つまたは複数のチャネルに基づき前記第１の優先順位を前記第１のリンクに割り当てることと、前記第２のリンク上で伝送される前記１つまたは複数のチャネルに基づき前記第２の優先順位を前記第２のリンクに割り当てることとが、複数のチャネルタイプのうちの予め規定された優先順位に従い前記第１の優先順位と前記第２の優先順位とを割り当てることを備えており、前記複数のチャネルタイプのうちの前記予め規定された優先順位が、
物理ランダムアクセスチャネル（ＰＲＡＣＨ）が他のチャネルタイプよりも高い優先順位を有するものである、請求項３４に記載の方法。
【請求項３６】
前記第１のリンク上で伝送される前記１つまたは複数のチャネルに基づき前記第１の優先順位を前記第１のリンクに割り当てることと、前記第２のリンク上で伝送される前記１つまたは複数のチャネルに基づき前記第２の優先順位を前記第２のリンクに割り当てることとが、複数のチャネルタイプのうちの予め規定された優先順位に従い前記第１の優先順位と前記第２の優先順位とを割り当てることを備えており、前記複数のチャネルタイプのうちの前記予め規定された優先順位が、
ハイブリッド自動反復リクエスト（ＨＡＲＱ）−ＡＣＫを備えた物理アップリンク制御チャネル（ＰＵＣＣＨ）または物理アップリンク共有チャネル（ＰＵＳＣＨ）がＨＡＲＱ−ＡＣＫを備えないＰＵＣＣＨまたはＰＵＳＣＨよりも高い優先順位を有するものである、請求項３４に記載の方法。
【請求項３７】
前記第１のリンク上で送信される１つまたは複数の情報タイプに基づき前記第１の優先順位を前記第１のリンクと関連させることと、前記第２のリンク上で送信される１つまたは複数の情報タイプに基づき前記第２の優先順位を前記第２のリンクと関連させることとをさらに備える、請求項３１から３３のいずれか一項に記載の方法。
【請求項３８】
前記第１の送信電力を前記第１のリンクに前記第２の送信電力を前記第２のリンクに割り当てることが、優先順位がより高いチャネルが前記第１のリンクと前記第２のリンクとの一方において伝送される場合には、他方ののリンクからサウンディング参照信号（ＳＲＳ）を脱落させることを備える、請求項３１に記載の方法。
【請求項３９】
請求項３１から３８のいずれか一項に記載の方法に従い動作する無線デバイス（１２）。
【請求項４０】
無線通信ネットワーク（１０）における第１の無線ネットワークノード（１４）への第１のリンクと、前記無線通信ネットワーク（１０）における第２の無線ネットワークノード（１６）への第２のリンクとを有する無線デバイス（１２）であって、前記第１のリンクと前記第２のリンクとが同時リンクであり、
前記第１のリンクと関連する第１の優先順位と前記第２のリンクと関連する第２の優先順位とに従い、第１の送信電力を前記第１のリンクに、第２の送信電力を前記第２のリンクに割り当てるための手段と、
前記第１の送信電力と前記第２の送信電力とにそれぞれ従い、前記第１のリンクおよび前記第２のリンク上で送信をするための手段と、
を備える無線デバイス（１２）。
【請求項４１】
無線通信ネットワーク（１０）における第１の無線ネットワークノード（１４）への第１のリンクと、前記無線通信ネットワーク（１０）における第２の無線ネットワークノード（１６）への第２のリンクとを有しており、前記第１のリンクと前記第２のリンクとが同時リンクである、無線デバイス（１２、３６）であって、
送信機（４４）と、
少なくとも１つのプロセッサ（３８）と、
メモリ（４０）であって、前記少なくとも１つのプロセッサ（３８）によって実行可能なソフトウェア命令を包含することにより、前記無線デバイス（１２）が、
前記第１のリンクと関連する第１の優先順位と前記第２のリンクと関連する第２の優先順位とに従い、第１の送信電力を前記第１のリンクに、第２の送信電力を前記第２のリンクに割り当て、
前記第１の送信電力と前記第２の送信電力とにそれぞれ従い、前記送信機（４４）を経由して、前記第１のリンクおよび前記第２のリンク上で送信をする
ように動作する、メモリ（４０）と、
を備える無線デバイス（１２、３６）。
【請求項４２】
少なくとも１つのプロセッサの上で実行されると、前記少なくとも１つのプロセッサに、請求項３１から３８のいずれか一項に記載された方法を行わせる命令を備えるコンピュータプログラム。
【請求項４３】
請求項４２の前記コンピュータプログラムを包含しており、電子信号、光信号、無線信号、またはコンピュータ可読記憶媒体のうちの１つである、キャリア。
【発明の詳細な説明】
【技術分野】
【０００１】
関連出願
この出願は、２０１４年３月１９日に出願された特許協力条約（ＰＣＴ）出願の出願番号第ＰＣＴ／ＣＮ２０１４／０７３６７８号の利益を主張しており、その開示は、参照によりその全体を本明細書に組み入れられる。
【０００２】
この開示は、Ｌｏｎｇ  Ｔｅｒｍ  Ｅｖｏｌｕｔｉｏｎ（ＬＴＥ）無線ネットワークにおけるデュアルコネクティビティに関する。
【背景技術】
【０００３】
Ｌｏｎｇ  Ｔｅｒｍ  Ｅｖｏｌｕｔｉｏｎ（ＬＴＥ）は、ダウンリンクでは直交周波数分割多重化（ＯＦＤＭ）を用い、アップリンクでは離散フーリエ変換（ＤＦＴ）拡散ＯＦＤＭを用いる。基本的なＬＴＥのダウンリンク物理リソースは、したがって、図１に図解されているように、時間−周波数グリッドとして見ることが可能であり、図１では、各リソースエレメントが、１つのＯＦＤＭシンボル間隔の間の１つのＯＦＤＭサブキャリアと対応している。時間領域では、ＬＴＥダウンリンク送信は、１０ミリ秒（ｍｓ）の無線フレームに編成され、各無線フレームは、長さがＴｓｕｂｆｒａｍｅ＝１ｍｓである１０個のサイズが等しいサブフレームを含む。図２は、ＬＴＥの時間領域構造の概略図である。
【０００４】
ＬＴＥにおけるリソース配分は、典型的には、リソースブロックの視点で説明されるのであって、リソースブロックは、時間領域では、１つのスロット（０．５ｍｓ）に対応し、周波数領域では、１２の連続的なサブキャリアに対応する。時間（１．０ｍｓ）における２つの隣接するリソースブロックのペアは、リソースブロックペアとして知られている。リソースブロックは、周波数領域において、システム帯域幅の一端から０として始まるように番号が付されている。
【０００５】
ＬＴＥには、仮想リソースブロック（ＶＲＢ）および物理リソースブロック（ＰＲＢ）という概念が、導入されている。ユーザ機器デバイス（ＵＥ）への実際のリソース配分は、ＶＲＢペアとして、なされる。リソース配分には、局所型と分散型という２つのタイプが存在する。局所型のリソース配分では、ＶＲＢペアが、ＰＲＢペアに直接にマッピングされ、よって、２つの連続的で局所型のＶＲＢが、周波数領域における連続的なＰＲＢとしても、配置される。他方、分散型のＶＲＢは、周波数領域における連続的なＰＲＢにはマッピングされないことにより、これらの分散型のＶＲＢを用いて送信されるデータチャネルに対して周波数ダイバーシティを提供することになる。
【０００６】
ＬＴＥでは、ダウンリンク送信は、動的にスケジューリングされる。特に、各サブフレームにおいて、基地局は、どの端末またはＵＥにデータが送信されるのか、そして、どのリソースブロック上にデータがダウンリンクサブフレームにおいて送信されるのか、に関する制御情報を送信する。この制御シグナリングは、典型的には、各サブフレームにおいて最初の１、２、３または４つのＯＦＤＭシンボルにおいて送信されるのであるが、数字ｎ＝１、２、３または４は、制御フォーマット識別子（ＣＦＩ）として知られている。ダウンリンクサブフレームは、また、共通参照シンボル（ＣＲＳ）も含むが、これは、受信機に知られており、たとえば、制御情報のコヒーレント復調のために用いられる。制御としてＣＦＩ＝３つのＯＦＤＭシンボルを有するダウンリンクシステムが、図３に図解されている。
【０００７】
ＬＴＥのリリース１１以降からは、上述したリソース割り当てが、エンハンスト物理ダウンリンク制御チャネル（ｅＰＤＣＣＨ）においても、スケジューリングされ得る。リリース８からリリース１０では、物理ダウンリンク制御チャネル（ＰＤＣＣＨ）だけが利用可能である。ＰＤＣＣＨは、スケジューリング決定および電力制御コマンドなどのダウンリンク制御情報（ＤＣＩ）を運ぶのに用いられる。より詳しくは、ＤＣＩは、ダウンリンクスケジューリング割り当てと、アップリンクスケジューリンググラントと、電力制御コマンドとを含む。特に、ダウンリンクスケジューリング割り当ては、物理ダウンリンク共有チャネル（ＰＤＳＣＨ）リソース指示と、トランスポートフォーマットと、ハイブリッド自動再送要求（ＨＡＲＱ）情報と、空間多重化に関係する制御情報（適用可能な場合）とを含む。ダウンリンクスケジューリング割り当ては、また、ダウンリンクスケジューリング割り当てに応答してＨＡＲＱの肯定応答の送信に用いられる物理アップリンク制御チャネル（ＰＵＣＣＨ）の電力制御のためのコマンドを含む。アップリンクスケジューリンググラントは、物理アップリンク共有チャネル（ＰＵＳＣＨ）リソース指示と、トランスポートフォーマットと、ＨＡＲＱに関係する情報とを含む。アップリンクスケジューリンググラントは、また、ＰＵＳＣＨの電力制御のためのコマンドを含む。ＤＣＩに含まれる電力制御コマンドは、スケジューリング割り当て／グラントに含まれるコマンドへの補足として、１組の端末またはＵＥに対する電力制御コマンドを含む。
【０００８】
１つのＰＤＣＣＨは、上述したフォーマットのうちの１つを有する１つのＤＣＩメッセージを運ぶ。ダウンリンクとアップリンクとの両方で、複数の端末を同時にスケジューリングすることが可能であるから、各サブフレームの内部で複数のスケジューリングメッセージを送信する可能性が存在するはずである。各スケジューリングメッセージは、別個のＰＤＣＣＨ上で送信され、結果的に、典型的には、各セルの内部に複数の同時的なＰＤＣＣＨ送信が存在する。さらに、異なる無線チャネル条件をサポートするために、リンク適応を用いることが可能であり、その場合、ＰＤＣＣＨのコードレートは、無線チャネル条件に一致するように選択される。
【０００９】
端末における制御チャネルを、単純であるが効率的に処理することを可能にするため、ＰＤＣＣＨからリソースエレメントへのマッピングは、一定の構造の対象となる。この構造は、制御チャネルエレメント（ＣＣＥ）に基づくのであるが、ＣＣＥは、９個のリソースエレメントグループ（ＲＥＧ）から構成される。一定のＰＤＣＣＨに要求される１つ、２つ、４つまたは８つというＣＣＥの個数は、制御情報のペイロードサイズ（ＤＣＩペイロード）とチャネルコーディングレートとに依存する。これは、ＰＤＣＣＨのためのリンク適応を実現するのに用いられ、ＰＤＣＣＨが意図されている端末に対するチャネル条件が不利である場合には、有利なチャネル条件の場合と比較して、より多くのＣＣＥが用いられることが必要になる。ＰＤＣＣＨのために用いられるＣＣＥの個数は、アグリゲーションレベル（ＡＬ）とも称される。
【００１０】
次に、ネットワークは、利用可能なＰＤＣＣＨリソースから、異なるアグリゲーションレベルと異なるＵＥに対するＰＤＣＣＨ位置とを選択する。各ＰＤＣＣＨに対しては、図４に図解されているように、巡回冗長検査（ＣＲＣ）が各ＤＣＩメッセージペイロードに付属されている。宛先となる（１つまたは複数の）端末の識別子、すなわち、無線ネットワーク一時識別子（ＲＮＴＩ）は、ＣＲＣ計算に含まれ、明示的には送信されない。ＤＣＩメッセージの目的（ユニキャストデータ送信、電力制御コマンド、ランダムアクセス応答など）に応じて、異なるＲＮＴＩが用いられ、通常のユニキャストデータ送信に対しては、端末固有のセルＲＮＴＩ（Ｃ−ＲＮＴＩ）が用いられる。ＣＲＣ付属の後では、ビットは、レートがマイナス１／３のテールバイティングたたみ込みコードを用いてコーディングされ、ＰＤＣＣＨ送信のために用いられるリソースの量に適合するように、レートマッチングがなされる。与えられたサブフレームにおいて送信されるＰＤＣＣＨが所望のリソースエレメントに配分された後で（この詳細は後述する）、サブフレームにおいて送信されるすべてのＰＤＣＣＨリソースエレメントに対応するビットのシーケンスは、未使用のリソースエレメントを含めて、セル相互間の干渉をランダム化するために、セルおよびサブフレームに特有のスクランブリングシーケンスによってスクランブリングがなされ、その後には、直交位相シフトキーイング（ＱＰＳＫ）変調とリソースエレメントへのマッピングが続く。次には、（ＰＤＣＣＨによって用いられていないものを含め）ＲＥＧのすべての集合が、ＰＤＣＣＨのために周波数ダイバーシティをキャプチャすることに加え、セル相互間の干渉をランダム化するために、制御領域の全体にわたってインターリーブされる。
【００１１】
ＬＴＥは、いわゆるＰＤＣＣＨサーチ空間を規定するのであるが、このＰＤＣＣＨサーチ空間は、一定のコンポーネントキャリアに関係するスケジューリング割り当て／グラントのために端末がモニタすることになっているＣＣＥの組を記述する。サーチ空間は、ＣＣＥによって、与えられたアグリゲーションレベルに形成される候補となる制御チャネルの組であり、端末は、それをデコードすることを試みるとされる。１つ、２つ、４つおよび８つのＣＣＥに対応して、複数のアグリゲーションレベルが存在するため、端末は、複数のサーチ空間を有する。各サブフレームでは、端末は、そのサーチ空間のそれぞれにおいてＣＣＥから形成され得るすべてのＰＤＣＣＨをデコードすることを試みる。ＣＲＣがチェックする場合には、制御チャネルのコンテンツは、この端末に対して有効であると宣言され、端末はその情報（スケジューリング割り当て、スケジューリンググラントなど）を処理する。システムにおける各端末は、したがって、各アグリゲーションレベルにおいて、端末固有のサーチ空間を有する。
【００１２】
いくつかの状況では、システムにおける端末のグループまたはすべての端末を宛先にする必要性が存在する。同時にすべての端末を宛先にすることを可能にするために、ＬＴＥは、端末固有のサーチ空間に加えて、共通サーチ空間を規定している。共通サーチ空間とは、その名称が示すように共通であり、セルにおけるすべての端末が、制御情報を求めて、共通サーチ空間におけるＣＣＥをモニタする。共通サーチ空間を求める動機付けは、主に、様々なシステムメッセージの送信であるが、共通サーチ空間は、個々の端末をスケジューリングするのにも用いることが可能である。よって、共通サーチ空間は、ある端末のスケジューリングが、端末固有のサーチ空間において利用可能なリソースが不足していることに起因してブロックされる状況を解決するのに、用いられ得る。より重要なこととして、共通サーチ空間は、ＵＥの設定状態に依存しない。したがって、共通サーチ空間は、ＵＥ再構成間隔の間にネットワークがＵＥと通信する必要があるときに、用いられ得る。図５は、２つのＵＥに対する共通サーチ空間とＵＥ固有のサーチ空間とを図解している概略図である。
【００１３】
ＰＵＣＣＨとの関係では、ある端末に、データ送信のためのアップリンクリソースが割り当てられていない場合には、Ｌ１／Ｌ２制御情報（チャネル状態報告、ＨＡＲＱ肯定応答およびスケジューリングリクエスト）が、ＬＴＥのリリース８のＰＵＣＣＨにおけるアップリンクＬ１／Ｌ２制御のために特に割り当てられたアップリンクリソース（リソースブロック）において、送信される。図６に図解されているように、これらのリソースは、利用可能なセル帯域幅全体のエッジに配置されている。そのようなリソースは、それぞれが、アップリンクサブフレームの２つのスロットのそれぞれの内部の１２個の「サブキャリア」（１つのリソースブロック）から構成される。周波数ダイバーシティを提供するために、これらの周波数リソースは、スロット境界において周波数ホッピングであり、すなわち、１つの「リソース」は、あるサブフレームの第１のスロットにおけるスペクトルの上側部分における１２個のサブキャリアと、そのサブフレームの第２のスロットの間のスペクトルの下側部分におけるサイズが等しいリソースとから構成されるのであるが、または、その逆の場合もある。アップリンクＬ１／Ｌ２制御シグナリングのためにより多くのリソースが必要とされる場合、たとえば、多数のユーザをサポートする全体として非常に大きな送信帯域幅の場合には、追加的なリソースブロックを、既に割り当てられているリソースブロックの次に、割り当てることが可能である。
【００１４】
ＬＴＥのリリース１０（およびＬＴＥ規約のそれ以後のリリース）は、２０メガヘルツ（ＭＨｚ）よりも大きな帯域幅をサポートする。ＬＴＥのリリース１０における１つの重要な要件として、ＬＴＥのリリース８に対する後方互換性の保証がある。これは、スペクトルの互換性も含むはずである。これは、２０ＭＨｚよりも幅の広いＬＴＥリリース１０のキャリアは、ＬＴＥリリース８の端末にとって、いくつかのＬＴＥキャリアとして見えるはずだ、ということを意味し得る。そのようなキャリアは、それぞれを、コンポーネントキャリア（ＣＣ）と称することが可能である。特に、早い時期のＬＴＥリリース１０の展開では、多くのＬＴＥレガシ端末と比較して、ＬＴＥリリース１０能力を有する端末の方が少数であることが予想される。したがって、レガシ端末に対しても、幅の広いキャリアの効率的な利用を保証することが必要なのであって、つまり、レガシ端末が広帯域のＬＴＥリリース１０のキャリアのすべての部分においてスケジューリングされ得るようなキャリアを実装可能であることが必要である。これを得るための率直な方法は、キャリアアグリゲーション（ＣＡ）によるものであろう。ＣＡとは、ＬＴＥリリース１０の端末が複数のＣＣを受信できることを意味するのであって、この場合に、ＣＣは、ＬＴＥリリース８のキャリアと同じ構造を有するか、または、少なくとも、同じ構造を有する可能性を有する。ＣＡは、図７に図解されている。
【００１５】
個々のＣＣの帯域幅だけでなく、アグリゲートされたＣＣの個数も、アップリンクとダウンリンクとで異なり得る。対称的構成とは、ダウンリンクとアップリンクとにおけるＣＣの個数が同じである場合を指し、他方で、非対称的構成とは、ＣＣの個数が異なる場合を指す。あるセルにおいて設定されているＣＣの個数は端末から見たＣＣの個数とは異なり得る、ということに注意することが重要である。セルがアップリンクとダウンリンクとで同数のＣＣを用いて設定されている場合であっても、端末は、たとえば、アップリンクのＣＣよりも多くのダウンリンクのＣＣをサポートすることがあり得る。
【００１６】
当初のアクセスの間は、ＬＴＥリリース１０の端末は、ＬＴＥリリース８の端末と同様に振る舞う。ネットワークへの接続に成功すると、端末は、それ自体の能力とネットワークとに応じ、アップリンクとダウンリンクとにおいて、追加的なＣＣを用いて設定されることがあり得る。設定は、無線リソース制御（ＲＲＣ）に基づく。シグナリングが重く、ＲＲＣのシグナリングが比較的低速であることが原因で、端末が、それら全部が現時点で使用されない場合でも、複数のＣＣを用いて設定され得ることが予想される。端末が複数のＣＣの上で設定される場合には、これは、その端末が、ＰＤＣＣＨおよびＰＤＳＣＨに関し、すべてのダウンリンクＣＣをモニタしなければならない、ということを意味し得る。これは、より広い受信機の帯域幅や、より高いサンプリングレートなどを意味するのであって、結果的により多くの電力消費を生じる。
【００１７】
上述の問題に軽減するために、ＬＴＥリリース１０は、設定に加えて、ＣＣの作動をサポートする。端末は、ＰＤＣＣＨおよびＰＤＳＣＨに関し、設定され作動されているＣＣだけをモニタする。作動は、媒体アクセス制御（ＭＡＣ）制御エレメントに基づき、このエレメントはＲＲＣシグナリングよりも高速であるから、作動／停止は、現在のデータレートの必要性を満たすのに要求されるＣＣの個数に従い得る。大量のデータが到着すると、複数のＣＣが作動され、データ送信のために用いられ、もはや必要がなくなると、停止される。１つのＣＣすなわちダウンリンクプライマリＣＣ（ＤＬ  ＰＣＣ）以外のすべてのＣＣを、停止させることが可能である。したがって、作動は、複数のＣＣを設定しつつ必要に応じたＣＣだけを作動させる可能性を提供する。ほとんどの時間で、端末は、１つまたは非常に少数の作動ＣＣだけを作動させ得るのであって、結果的に、より低い受信帯域幅と、したがってより低いバッテリ消費が生じる。
【００１８】
ＣＣのスケジューリングは、ダウンリンクの割り当てを経由して、ＰＤＣＣＨの上でなされる。ＰＤＣＣＨに関する制御情報は、ＤＣＩメッセージとしてフォーマットされる。ＬＴＥリリース８では、端末は、１つのダウンリンクおよび１つのアップリンクＣＣと共に動作するだけで、よって、ダウンリンク割り当てと、アップリンクグラントと、対応するダウンリンクおよびアップリンクＣＣとの間の関連付けは明確である。ＬＴＥリリース１０では、ＣＡの２つのモードが、区別される必要がある。第１のモードは、複数のＬＴＥリリース８の端末の動作に非常に類似しており、この場合、ＣＣ上で送信されるＤＣＩメッセージに含まれるダウンリンク割り当てまたはアップリンクグラントは、ダウンリンクＣＣ自体に対して有効であるか、または、（セル固有またはＵＥ固有のリンキングのいずれかを経由して）関連するアップリンクＣＣに対して有効であるかのいずれかである。第２のモードは、キャリアインジケータフィールド（ＣＩＦ）を有するＤＣＩメッセージを増加させる。ＣＩＦを有するダウンリンク割り当てを含むＤＣＩは、ＣＩＦを用いて指示されるそのダウンリンクＣＣに対して有効であり、ＣＩＦを有するアップリンクグラントを含むＤＣＩは、指示されているアップリンクＣＣに対して有効である。
【００１９】
ダウンリンク割り当てのためのＤＣＩメッセージは、他のものに加えて、リソースブロック割り当て、変調およびコーディング方式に関係するパラメータ、ＨＡＲＱ冗長性のバージョンなどを含む。実際のダウンリンク送信に関係するこれらのパラメータに加えて、ダウンリンク割り当てのためのほとんどのＤＣＩフォーマットは、また、送信電力制御（ＴＰＣ）コマンドのためのビットフィールドも含む。これらのＴＰＣコマンドは、ＨＡＲＱフィードバックを送信するのに用いられる対応するＰＵＣＣＨのアップリンク電力制御の振る舞いを制御するのに、用いられる。
【００２０】
ＬＴＥリリース１０では、ＰＵＣＣＨの送信は、ある特定のアップリンクＣＣである、アップリンクプライマリＣＣ（ＵＬ  ＰＣＣ）の上にマッピングされる。単一のダウンリンクＣＣ（この場合は、ＤＬ  ＰＣＣ）とアップリンクＣＣ（この場合は、ＵＬ  ＰＣＣ）とが設定されているだけの端末は、ＬＴＥリリース８に従って、ＰＵＣＣＨに関する動的な肯定応答／否定応答（ＡＣＫ／ＮＡＣＫ）を動作させる。ダウンリンク割り当てのためにＰＤＣＣＨを送信するのに用いられる第１のＣＣＥが、ＬＴＥリリース８のＰＵＣＣＨに関する動的なＡＣＫ／ＮＡＣＫリソースを決定する。ただ１つだけのダウンリンクＣＣがＵＬ  ＰＣＣとセル固有にリンクされているために、すべてのＰＤＣＣＨが異なる第１のＣＣＥを用いて送信されるので、ＰＵＣＣＨの衝突は生じ得ない。
【００２１】
単一のセカンダリＣＣ（ＳＣＣ）におけるダウンリンク割り当てが受信されると、または複数のダウンリンク割り当てが受信されると、ＣＡのＰＵＣＣＨが用いられなければならない。ダウンリンクＳＣＣ割り当てだけが、非典型的である。エンハンストまたはエボルブドノードＢ（ｅＮＢ）スケジューラが、ＤＬ  ＰＣＣに関する単一のダウンリンクＣＣ割り当てをスケジューリングして、必要のない場合にはＳＣＣを停止させるように、努力しなければならない。生じ得る可能性があるシナリオは、ｅＮＢが、ＰＣＣを含む複数のダウンリンクＣＣにおける端末をスケジューリングすることである。端末は、ＤＬ  ＰＣＣ割り当て以外のすべてを逃す場合には、ＣＡ  ＰＵＣＣＨの代わりに、ＬＴＥリリース８のＰＵＣＣＨを用いることになる。このエラーの場合を検出するには、ｅＮＢは、ＬＴＥリリース８のＰＵＣＣＨとＣＡのＰＵＣＣＨとの両方をモニタしなければならない。
【００２２】
ＬＴＥリリース１０では、ＣＡのＰＵＣＣＨフォーマットは、設定されているＣＣの個数に基づく。ＣＣの設定は、ＲＲＣのシグナリングに基づく。新たな設定の受信／適用が成功した後で、設定メッセージが返送されることにより、ＲＲＣシグナリングが非常に安全になる。
【００２３】
たとえばＬＴＥなどのセルラシステムにおける端末など、ノードからの送信および受信は、周波数領域もしくは時間領域（またはそれらの組合せ）において、多重化され得る。図８の左側に図解されている周波数分割複信（ＦＤＤ）は、ダウンリンクおよびアップリンク送信が、異なり十分に分離された周波数帯域で生じることを意味する。図８の右側に図解されている時分割複信（ＴＤＤ）は、ダウンリンクおよびアップリンクの送信が異なっており重複のない時間スロットにおいて生じることを意味する。よって、ＴＤＤは、ペアでないスペクトルとして動作することがあり得るが、他方で、ＦＤＤは一対のスペクトルを要求する。典型的には、通信システムにおいて送信される信号の構造は、フレーム構造の形式で編成されている。たとえば、ＬＴＥは、図９に図解されているように、無線フレーム当たりの長さが１ｍｓである１０個のサイズが等しいサブフレームを用いる。
【００２４】
ＦＤＤ動作（図９の上側部分）の場合は、２つのキャリア周波数、すなわち、アップリンク送信（ｆＵＬ）のための周波数と、ダウンリンク送信（ｆＤＬ）のための周波数とが存在する。少なくともセルラ通信システムにおける端末に関しては、ＦＤＤは、全二重または半二重のいずれかであり得る。全二重の場合には、端末は、同時に、送信および受信することができるが、他方で、半二重動作の場合には、端末は、同時には、送信および受信をすることができない（ただし、基地局は同時的な受信／送信が可能であって、たとえば、ある端末から受信しながら、別の端末に同時に送信する）。ＬＴＥでは、半二重の端末が、一定のサブフレームにおいて送信するように明示的に指示されているときを除いて、ダウンリンクでモニタ／受信している。
【００２５】
ＴＤＤ動作の場合（図９の下側部分）には、１つのキャリア周波数だけが存在し、アップリンクおよびダウンリンクの送信は、時間的に、またセルベースで、常に分離されている。アップリンクおよびダウンリンク送信に同じキャリア周波数が用いられるために、基地局と移動端末との両方が、送信から受信へおよびその逆の方向に切り換えることが必要である。どのＴＤＤシステムでも、本質的な態様は、ダウンリンク送信もアップリンク送信も生じない、十分に長い保護時間のための可能性を提供することである。これは、アップリンク送信とダウンリンク送信との間の干渉を回避するために、要求される。ＬＴＥの場合には、この保護時間は、特別なサブフレーム（サブフレーム１、そしていくつかの場合にはサブフレーム６）によって提供され、これらは、ダウンリンク部分（ＤｗＰＴＳ）と、保護間隔（ＧＰ）と、アップリンク部分（ＵｐＰＴＳ）という３つの部分に分けられる。残りのサブフレームは、アップリンク送信またはダウンリンク送信のいずれかに配分される。
【００２６】
ＴＤＤは、異なるダウンリンク／アップリンク構成により、アップリンクおよびダウンリンク送信それぞれのために配分されたリソースの量の点で、異なる非対称を許容する。ＬＴＥでは、図１０に示されているように、７つの異なる構成が存在する。以下の説明では、ダウンリンクサブフレームは、ダウンリンクまたは特別なサブフレームのいずれかを意味し得ることに注意すべきである。
【００２７】
異なるセルの間でのダウンリンク送信とアップリンク送信の間の深刻な干渉を回避するため、隣接するセルは、同じダウンリンク／アップリンク構成を有するべきである。これがなされていない場合には、あるセルにおけるアップリンク送信は、図１１に図解されているように、隣接するセルにおけるダウンリンク送信に（および、その逆の方向で）干渉することがあり得る。よって、ダウンリンク／アップリンクの非対称性は、典型的には、セル相互間で変動することができないが、システム情報の一部としてシグナリングされ、長い時間間隔の間、固定されたまま留まる。
【００２８】
デュアルコネクティビティのフレームワークが、現在、ＬＴＥリリース１２のために検討されている。デュアルコネクティビティとは、与えられたＵＥが、ＲＲＣ＿ＣＯＮＮＥＣＴＥＤである間に非理想的なバックホールと接続されている少なくとも２つの異なるネットワークポイント（マスタおよびセカンダリｅＮＢ）によって提供される無線リソースを消費する、という動作を指す。デュアルコネクティビティにおけるＵＥは、アンカおよびブースタノードへの同時接続またはリンクを維持するのであるが、ここで、アンカノードは、マスタｅＮＢ（ＭｅＮＢ）とも称され、ブースタノードは、セカンダリｅＮＢ（ＳｅＮＢ）とも称される。その名称が意味するように、アンカノードは、ＵＥに向かう制御プレーン接続を終端するのであって、つまり、ＵＥの制御ノードである。ＵＥは、また、アンカからのシステム情報を読み取る。アンカに加えて、ＵＥは、追加されたユーザプレーンサポートのための１つまたはいくつかのブースタノードに接続され得る。ＭｅＮＢおよびＳｅＮＢは、Ｘｎインターフェースを経由して接続されるが、Ｘｎインターフェースは、２つのｅＮＢの間のＸ２インターフェースと同じものとして現在選択されている。
【００２９】
アンカおよびブースタの役割は、ＵＥの視点から規定される。これは、あるＵＥへのアンカとして機能するノードが、別のＵＥへのブースタとして機能することがあり得ることを意味する。同様に、ＵＥはシステム情報をアンカノードから読み取るのであるが、あるＵＥへのブースタとして機能するノードが、別のＵＥに、システム情報を配分するまたは配分しないことがあり得る。ＭｅＮＢは、システム情報を提供するように動作し、制御プレーンを終端する。さらに、ＭｅＮＢは、ユーザプレーンを終端することもあり得る。逆に、ＳｅＮＢはユーザプレーンだけを終端するように動作する。
【００３０】
ある応用例では、デュアルコネクティビティにより、ＵＥが、それらのノードの両方からデータを受信してＵＥ自体のデータレートを向上させるために、２つのノードに接続することが可能になる。このユーザプレーンアグリゲーションは、低いレイテンシのバックホール／ネットワーク接続によって接続されていないネットワークノードを用いているＣＡと同様の利点を達成する。このように低いレイテンシのバックホールを欠いていることのために、スケジューリングと、ＵＥから各ノードへのＨＡＲＱ−ＡＣＫフィードバックとが、別々に実行されることになる。すなわち、ＵＥが、アップリンク制御とデータとを接続されたノードに送信する２つのアップリンク送信機を有することが予想される。
【００３１】
アップリンク電力制御は、異なるアップリンク物理チャネルの送信電力を制御する。一例として、ＵＥは、サービングセルｃに対する同時ＰＵＣＣＨなしでＰＵＳＣＨを送信する場合には、サービングセルｃに対するサブフレームｉにおけるＰＵＳＣＨ送信のためのＵＥ送信電力は、（ミリデシベル（ｄＢｍ）を単位として）次の
2020080536.tif 000003
によって与えられる。なお、ここで、
・ＰＣＭＡＸ，ｃ（ｉ）は、サービングセルｃに対するサブフレームｉにおける３ＧＰＰの技術仕様書（ＴＳ）３６．１０１  Ｖ１２．２．０で規定された、設定されたＵＥの送信電力であり、
2020080536.tif 000004
は、ＰＣＭＡＸ，ｃの（ｉ）の線形値であり、
・ＭＰＵＳＣＨ，ｃ（ｉ）は、サブフレームｉとサービングセルｃとに対して有効なリソースブロックの個数で表現されたＰＵＳＣＨリソース割り当ての帯域幅であり、
・ＰＯ＿ＰＵＳＣＨ，ｃ（ｊ）は、サービングセルｃに対するリソースブロック当たりの所望の受信された電力レベルであり、
・αｃ（ｊ）は、１以下の値を取り得るパラメータであって、部分的な経路損失の補償を可能にするものであり、
・ＰＬｃは、デシベル（ｄＢ）を単位として、サービングセルｃに対してＵＥにおいて計算されるダウンリンク経路損失の推定値であり、ここで、ＰＬｃ＝ｒｅｆｅｒｅｎｃｅＳｉｇｎａｌＰｏｗｅｒ−より高いレイヤのフィルタリングされた参照信号受信電力（ＲＳＲＰ）であり、ｒｅｆｅｒｅｎｃｅＳｉｇｎａｌＰｏｗｅｒは、より高いレイヤによって提供され、ＲＳＲＰは、参照サービングセルに対して３ＧＰＰのＴＳの３６．２１４  Ｖ１２．０．０で規定され、より高いレイヤのフィルタ構成は、参照サービングセルに対して３ＧＰＰのＴＳの３６．３３１  Ｖ１２．０．０で規定されている。
・ΔＴＦ，ｃ（ｉ）は、ＰＵＳＣＨの特定の変調およびコーディング方式に対する電力オフセットであり、
・ｆｃ（ｉ）は、電力制御コマンドによる調整である。
【００３２】
ＵＥの全送信電力が
2020080536.tif 000005
を超えるであろう場合には、ＵＥは、サブフレームｉにおけるサービングセルｃに対する
2020080536.tif 000006
をスケーリングし、その結果、条件
2020080536.tif 000007
が満たされるのであるが、ここで、
2020080536.tif 000008
は、ＰＰＵＣＣＨ（ｉ）の線形値であり、
2020080536.tif 000009
は、ＰＰＵＳＣＨ，ｃ（ｉ）の線形値であり、
2020080536.tif 000010
は、サブフレームｉにおける３ＧＰＰ  ＴＳ  ３６．１０１  Ｖ１２．２．０で規定されたＵＥのすべての設定された最大出力電力ＰＣＭＡＸの線形値であり、ｗ（ｉ）は、０≦ｗ（ｉ）≦１であるのであるが、サービングセルｃに対するスケーリングファクタ
2020080536.tif 000011
である。サブフレームｉにおいてＰＵＣＣＨ送信がない場合には、
2020080536.tif 000012
が成立する。
【００３３】
現在、ＵＥがデュアルコネクティビティを用いて設定されているときには、アップリンク電力制御の問題に対処するための系統的な解決策が存在しない。特に、ＭｅＮＢとＳｅＮＢとは、それぞれが、他方のリンクのアップリンク送信に関する十分な知識がないために、ＵＥが高いアップリンク電力レベルを用いることを予想し得るために、それが集約されて、ＵＥが用いることができる最大電力を超えてしまう。電力に制約がある条件の下で動作しているときに、ＵＥが２つのリンクの間でインテリジェントにアップリンク電力を配分することを可能にする既存の解決策は、存在しない。図１２は、ＭｅＮＢとＳｅＮＢとのための最大許容量を超えるアップリンク電力を図解する概略図である。
【００３４】
さらに、デュアルコネクティビティとＣＡとは特性が異なるため、デュアルコネクティビティを用いて設定されると、ｅＮＢとＵＥとの両者に対するアップリンク電力制御に困難が生じる。特に、地理的に分離され得る２つ（またはそれより多く）の送信点（ＴＰ）にＵＥが同時に接続されるという点で、デュアルコネクティビティは、複数のタイミングアドバンスグループを備えたＣＡ（ＴＡＧ）に類似する。潜在的には、与えられたＵＥに対して、２つ（またはそれより多く）の同時ダウンリンク送信と２つ（またはそれより多く）の同時アップリンク送信とが、存在する。しかし、デュアルコネクティビティのシナリオは、いくつかの態様において、ＣＡと異なっている。
【００３５】
第１に、デュアルコネクティビティにおいては、ＭｅＮＢとＳｅＮＢとが、６０ｍｓまでの遅延を伴う理想的ではないバックホールリンクを含む様々なバックホールリンクを経由して、接続されることが許容される。対照的に、ＣＡでは、複数のＴＰがＸ２インターフェース上での遅延が無視できる理想的なバックホールリンクを経由して接続されると想定される。ＣＡでは、ＴＰが中央処理装置を有することが仮定されているが、デュアルコネクティビティの場合はそうではない。第２に、デュアルコネクティビティでは、ネットワークノードのＭｅＮＢとＳｅＮＢとは、同期している場合と同期していない場合とがあり得る（同期ネットワークまたは非同期ネットワーク）。グローバルナビゲーションサテライトシステム（ＧＮＳＳ）による同期またはバックホールネットワーク上での同期は、たとえば室内での配置または周囲に高層のビルがあるホットスポットなど、小規模なセル配置では利用可能であるとは限らない。一定の配置シナリオでは、ＭｅＮＢとＳｅＮＢとを同期させることは、それらが用いる搬送波周波数が異なる同期ソースを要求するという理由のために、実行可能でないことがあり得る。たとえば、ＭｅＮＢとＳｅＮＢとの両方がＴＤＤを用い、隣接するシステムが異なる同期を有する場合が、そのような場合である。よって、ＭｅＮＢとＳｅＮＢとのダウンリンクサブフレーム境界は、時間的に整合している場合と整合していない場合とがあり得る。対照的に、ＣＡでは、ネットワークノードは同期していることが想定されている。
【００３６】
第３に、同期していないネットワークとタイミングアドバンスとの効果を組み合わせると、ＵＥの視点からのアップリンクサブフレーム境界の不整合は、最大で、７つのＯＦＤＭシンボル（０．５ｍｓ）にまでなり得る。対照的に、ＣＡのシナリオでは、アップリンクサブフレームの不整合は、単にタイミングアドバンスの影響に起因するのであって、最大でも、〜３０マイクロ秒（μｓ）プラス２つのＴＰの追加的な同期誤差に限定されると考えられる。これは、おおよそ、ＯＦＤＭシンボルの半分に対応する。第４に、デュアルコネクティビティでは、各ｅＮＢ（ＭｅＮＢおよびＳｅＮＢ）は、それ自身の無線リンク制御（ＲＬＣ）、ＭＡＣ（スケジューラを含む）、および物理層を動作させる。ＭｅＮＢとＳｅＮＢとは、それら自身のアップリンクおよびダウンリンク送信を、独立にスケジューリングする。よって、たとえば、ＵＥが、一方のｅＮＢが他方のｅＮＢのスケジューリング情報を知らずに、一方がＭｅＮＢにより他方がＳｅＮＢによる、２つの同時アップリンク送信をスケジューリングすることがあり得る。一方のリンクのＰＵＣＣＨ／ＰＵＳＣＨ／物理ランダムアクセスチャネル（ＰＲＡＣＨ）／サウンディング参照信号（ＳＲＳ）のスケジューリングは、他方のリンクのｅＮＢに知られていない。対照的に、ＣＡでは、単一のＭＡＣ（スケジューラを含む）が、複数の送信点を制御し、与えられたＵＥのスケジューリングされている送信について十分な知識を有している。
【００３７】
第５に、デュアルコネクティビティでは、ＳｅＮＢにおける少なくとも１つセルが設定されたアップリンクを有し、そのうちの１つは、ＰＵＣＣＨリソースを用いて設定されている。よって、ＵＥは、一方をＭｅＮＢに向け、他方をＳｅＮＢに向けて、２つのＰＵＣＣＨを同時に送信することを要求されることがあり得る。２組のアップリンク制御情報（ＵＣＩ）が、ＭｅＮＢリンクおよびＳｅＮＢリンク上で、ＰＵＣＣＨ（またはＰＵＳＣＨ）を経由して同時に送信され得る。対照的に、ＣＡでは、ＵＣＩは、１つのサービングセル（プライマリセル（ＰＣｅｌｌ））の上だけを送信される。第６に、デュアルコネクティビティでは、ＰＲＡＣＨが、両方のリンク上で同時に送信され得る。対照的に、ＣＡでは、ＰＲＡＣＨは、一度に１つのコンポーネントキャリアの上だけを送信される。
【００３８】
これらの差のため、デュアルコネクティビティを用いて設定されるときには、ｅＮＢとＵＥとの両方に対するアップリンク電力制御機構に困難が生じる。このように、デュアルコネクティビティのためのアップリンク電力制御方式が必要なのである。
【発明の概要】
【００３９】
デュアルコネクティビティ方式に従って動作する無線デバイスのためのアップリンク電力制御に関するシステムおよび方法が、開示されている。無線通信ネットワークにおける第１の無線ネットワークノードへの第１のリンクと、無線通信ネットワークにおける第２の無線ネットワークノードへの第２のリンクとを有する無線デバイスを動作させる方法の実施形態が開示されている。第１のリンクと第２のリンクとは、それぞれ、第１の無線ネットワークノードと第２の無線ネットワークノードへの同時またはコンカレントなリンクである。いくつかの実施形態では、無線デバイスを動作させる方法は、無線デバイスから第１の無線ネットワークノードへの第１のリンクに対する第１の最大送信電力レベルと、無線デバイスから第２の無線ネットワークノードへの第２のリンクに対する第２の最大送信電力レベルとを決定することと、第１のリンクおよび第２のリンク上で、第１の最大送信電力レベルと第２の最大送信電力レベルとにそれぞれ従って送信することと、を備える。第１の最大送信電力レベルと第２の最大送信電力レベルとのそれぞれは、最大許容可能送信電力レベルの関数である。このように、第１のリンクおよび第２のリンク上で同時に送信するときに、無線デバイスの送信電力は、最大許容可能送信電力を超えない。
【００４０】
いくつかの実施形態では、第１の最大送信電力レベルと第２の最大送信電力レベルとの和が、最大許容可能送信電力レベル以下である。
【００４１】
いくつかの実施形態では、第１の最大送信電力レベルと第２の最大送信電力レベルとが、静的に規定される。
【００４２】
いくつかの実施形態では、第１の最大送信電力レベルと第２の最大送信電力レベルとを決定することが、第１の最大送信電力レベルと第２の最大送信電力レベルとを、第１の最大送信電力レベルと第２の最大送信電力レベルとの静的規定に従い、最大許容可能送信電力レベルのそれぞれの比として決定することを備える。
【００４３】
いくつかの実施形態では、第１の最大送信電力レベルと第２の最大送信電力レベルとを決定することが、第１のリンクの特定のサブフレームに対して、第１のリンクの特定のサブフレームに対する第１の最大送信電力レベルを、第１の最大送信電力レベルの静的規定に従い、第１のリンクの特定のサブフレームに対する最大許容可能送信電力の第１の比として決定することを備える。第１の最大送信電力レベルと第２の最大送信電力レベルとを決定することは、さらに、第１のリンクの特定のサブフレームと同期送信または第１のリンクの特定のサブフレームと非同期であり部分的に重複する送信のいずれかである第２のリンクの特定のサブフレームに対して、第２のリンクの特定のサブフレームに対する第２の最大送信電力レベルを、第２の最大送信電力レベルの静的規定に従い、第１のリンクの特定のサブフレームに対する最大許容可能送信電力の第２の比として決定することを備える。さらに、いくつかの実施形態では、最大許容可能送信電力レベルは、サブフレームごとに変動する。さらにまた、いくつかの実施形態では、第１の比と第２の比との和は、１以下である。
【００４４】
いくつかの実施形態では、第１の最大送信電力レベルと第２の最大送信電力レベルとを決定することが、第１および／または第２のリンク上で無線デバイスが用いるアップリンクアンテナポートの個数と、第１のリンクと第２のリンクとの一方または両方の上でのアップリンク送信をが設定されたサービングセルの個数と、第１のリンクと第２のリンクとの一方または両方の上で無線デバイスが割り当てられることが予想されるリソースブロックの平均個数とのうちの１つまたは複数に基づき、第１の最大送信電力レベルと第２の最大送信電力レベルとに値を静的に割り当てることを備える。
【００４５】
いくつかの実施形態では、第１の最大送信電力レベルと前記第２の最大送信電力レベルとが、準静的に規定される
【００４６】
いくつかの実施形態では、第１の最大送信電力レベルと第２の最大送信電力レベルとを決定することが、第１のリンクの特定のサブフレームに対して、第１のリンクの特定のサブフレームに対する第１の最大送信電力レベルを、第１の最大送信電力レベルの準静的規定に従い、第１のリンクの特定のサブフレームに対する最大許容可能送信電力の第１の比として決定することを備える。第１の最大送信電力レベルと第２の最大送信電力レベルとを決定することは、さらに、第１のリンクの特定のサブフレームと同期送信または第１のリンクの特定のサブフレームと非同期であり部分的に重複する送信のいずれかである第２のリンクの特定のサブフレームに対して、第２のリンクの特定のサブフレームに対する第２の最大送信電力レベルを、第２の最大送信電力レベルの準静的規定に従い、第１のリンクの特定のサブフレームに対する最大許容可能送信電力の第２の比として決定することを備える。さらに、いくつかの実施形態では、最大許容可能送信電力レベルは、サブフレームごとに変動する。さらにまた、いくつかの実施形態では、第１の比と第２の比との和は、１以下である。
【００４７】
いくつかの実施形態では、第１の最大送信電力レベルと前記第２の最大送信電力レベルとが、ある時間周期にわたる既知のパターンに従い、準静的に規定される、
【００４８】
いくつかの実施形態では、無線デバイスを動作させる方法が、さらに、第１のリンクと第２のリンクとに対する全体の計算された送信電力レベルが最大許容可能送信電力レベルより大きいかどうかを決定することを備える。第１のリンクおよび第２のリンク上で、第１の最大送信電力レベルと第２の最大送信電力レベルとにそれぞれ従って送信することは、第１のリンクと第２のリンクとに対する全体の計算された送信電力レベルが最大送信電力レベルよりも高い場合には、一方または両方のリンクに対する第１の最大送信電力レベルと第２の最大送信電力レベルとに従い、第１のリンクおよび第２のリンク上で送信することを備える。
【００４９】
いくつかの実施形態では、無線デバイスから第１の無線ネットワークノードへの第１のリンクに対する第１の最大送信電力レベルと、無線デバイスから第２の無線ネットワークノードへの第２のリンクに対する第２の最大送信電力レベルとを決定することが、各サブフレームに対し、無線デバイスから第１の無線ネットワークノードへの第１のリンクに対する第１の最大送信電力レベルと、無線デバイスから第２の無線ネットワークノードへの第２のリンクに対する第２の最大送信電力レベルと、を動的に決定することを備える。
【００５０】
いくつかの実施形態では、第１および第２のリンクが、非同期であり重複する送信を有しており、各サブフレームに対し、無線デバイスから第１の無線ネットワークノードへの第１のリンクに対する第１の最大送信電力レベルと、無線デバイスから第２の無線ネットワークノードへの第２のリンクに対する第２の最大送信電力レベルとを動的に決定することが、第１のリンクの特定のサブフレームに対して、第１のリンクの特定のサブフレームと第２のリンクの重複するサブフレームとの間の部分的重複を考慮に入れながら、第１のリンクの特定のサブフレームに対する第１の最大送信電力レベルを決定することを備える。
【００５１】
いくつかの実施形態では、第２のリンクの重複するサブフレームが、第１のリンクの特定のサブフレームの開始後であるが第１のリンクの特定のサブフレームの終了前の時刻において終了する第２のリンクのサブフレームである。
【００５２】
いくつかの実施形態では、第１のリンクの特定のサブフレームと第２のリンクの重複するサブフレームとの間の部分的重複を考慮に入れながら、第１のリンクの特定のサブフレームに対する第１の最大送信電力レベルを決定することが、第１のリンクの特定のサブフレームと第２のリンクの重複するサブフレームとの全送信電力が第１のリンクの特定のサブフレームに対する最大許容可能送信電力以下であるように、第１のリンクの特定のサブフレームに対する第１の最大送信電力レベルを決定することを備える。
【００５３】
いくつかの実施形態では、第１および第２のリンクが、非同期であり重複する送信を有しており、各サブフレームに対し、無線デバイスから第１の無線ネットワークノードへの第１のリンクに対する第１の最大送信電力レベルと、無線デバイスから第２の無線ネットワークノードへの第２のリンクに対する第２の最大送信電力レベルと、を動的に決定することが、第１のリンクのサブフレームと第２のリンクの重複するサブフレームとにわたる全送信電力が第１のリンクのサブフレームに対する最大許容可能送信電力レベルを超えるかどうかを決定することと、第１のリンクのサブフレームと第２のリンクの重複するサブフレームとにわたる全送信電力が第１のリンクのサブフレームに対する最大許容可能送信電力レベルを超える場合には、スケーリングの後で、第１のリンクのサブフレームと第２のリンクの重複するサブフレームとにわたる全送信電力が第１のリンクのサブフレームに対する最大許容可能送信電力レベルを超えないように、第１のリンクのサブフレームにおけるアップリンクチャネルまたは信号に対する送信電力レベルをスケーリングすることと、を備える。
【００５４】
いくつかの実施形態では、第１および第２のリンクが、非同期であり重複する送信を有しており、各サブフレームに対し、無線デバイスから第１の無線ネットワークノードへの第１のリンクに対する第１の最大送信電力レベルと、無線デバイスから第２の無線ネットワークノードへの第２のリンクに対する第２の最大送信電力レベルと、を動的に決定することが、第１のリンクの特定のサブフレームに対し、第１のリンクの特定のサブフレームと第２のリンクの２つの連続するサブフレームとの間の部分的重複を考慮に入れながら、第１のリンクの特定のサブフレームに対する第１の最大送信電力レベルを決定することを備える。いくつかの実施形態では、第２のリンクの２つの重複するサブフレームが、（ａ）第１のリンクの特定のサブフレームの開始後であるが第１のリンクの特定のサブフレームの終了前の時刻において終了する第２のリンクのサブフレームである第１の重複するサブフレームと、（ｂ）第１の重複するサブフレームの終了時に開始し第１のリンクの特定のサブフレームの終了後の時刻において終了する第２のリンクのサブフレームである第２の重複するサブフレームと、から構成される。
【００５５】
いくつかの実施形態では、第１のリンクの特定のサブフレームと第２のリンクの２つの重複するサブフレームとの間の部分的重複を考慮に入れながら、第１のリンクの特定のサブフレームに対する第１の最大送信電力レベルを決定することが、第１のリンクの特定のサブフレームと第２のリンクの第１の重複するサブフレームとの全送信電力と、第１のリンクの特定のサブフレームと第２のリンクの第２の重複するサブフレームとの全送信電力とが共に第１のリンクの特定のサブフレームに対する最大許容可能送信電力以下であるように、第１のリンクの特定のサブフレームに対する第１の最大送信電力レベルを決定することを備える。
【００５６】
いくつかの実施形態では、第１のリンクの特定のサブフレームと第２のリンクの重複するサブフレームとの少なくとも一方が、少なくとも２つの同時チャネルを含んでおり、第１のリンクの特定のサブフレームに対する第１の最大送信電力レベルを決定することが、第１のリンクの特定のサブフレームと第２のリンクの重複するサブフレームとの間の部分的重複における少なくとも２つの同時チャネルの送信電力を考慮に入れながら、第１のリンクの特定のサブフレームの第１の最大送信電力レベルを決定することを備える。
【００５７】
いくつかの実施形態では、第１のリンクと第２のリンクとの少なくとも一方が複数のサービングセルを有しており、第１のリンクの特定のサブフレームに対する第１の最大送信電力レベルを決定することが、第１のリンクの特定のサブフレームと第２のリンクの重複するサブフレームとの間の部分的重複における複数のサービングセルのすべてに対する送信電力を考慮に入れながら、第１のリンクの特定のサブフレームの第１の最大送信電力を決定することを備える。
【００５８】
いくつかの実施形態では、各サブフレームに対し、無線デバイスから第１の無線ネットワークノードへの第１のリンクに対する第１の最大送信電力レベルと、無線デバイスから第２の無線ネットワークノードへの第２のリンクに対する第２の最大送信電力レベルとを動的に決定することが、第１のリンクおよび第２のリンク上で送信されるチャネルに対する送信電力レベルを計算することと、無線デバイスの全送信電力が最大許容可能送信電力レベルを超えないように、第１のリンク上で送信されるチャネルに第１のスケーリングファクタを適用することにより第１の最大送信電力レベルを決定することによって、第１のリンクおよび第２のリンク上で送信されるチャネルに対する送信電力レベルのスケーリングを実行することと、を備える。
【００５９】
いくつかの実施形態では、第１のスケーリングファクタと第２のスケーリングファクタとが無線デバイスによって決定される。
【００６０】
いくつかの実施形態では、無線ネットワークノードが、セルラ通信ネットワークにおける無線アクセスノードである。
【００６１】
いくつかの実施形態では、無線通信ネットワークにおける第１の無線ネットワークノードへの第１のリンクと、無線通信ネットワークにおける第２の無線ネットワークノードへの第２のリンクとを有する無線デバイスを動作させる方法であって、第１のリンクと第２のリンクとが同時リンクである、方法が、第１のリンクと関連する第１の優先順位と第２のリンクと関連する第２の優先順位とに従い、第１の送信電力を第１のリンクに、第２の送信電力を第２のリンクに割り当てることと、第１の送信電力と前記第２の送信電力とにそれぞれ従い、第１のリンクおよび第２のリンク上で送信することと、を備える。
【００６２】
いくつかの実施形態では、第１のリンクと関連する第１の優先順位が第２のリンクと関連する第２の優先順位よりも高い場合には、第２の送信電力を第２のリンクに割り当てる前に、第１の送信電力を第１のリンクに割り当てる。
【００６３】
いくつかの実施形態では、第１の送信電力を第１のリンクに、第２の送信電力を第２のリンクに割り当てることが、第１の優先順位が第２の優先順位よりも大きい場合には、第１の最大送信電力レベルを第１のリンクに割り当て、残りの送信電力を第２のリンクに割り当てることを含み、第２の優先順位が第１の優先順位よりも大きな場合には、第２の最大送信電力レベルを第２のリンクに割り当て、残りの送信電力を第１のリンクに割り当てることを備える。
【００６４】
いくつかの実施形態では、無線デバイスを動作させる方法が、第１のリンク上で送信されるチャネルに基づき第１の優先順位を第１のリンクに関連させることと、第２のリンク上で送信されるチャネルに基づき第２の優先順位を第２のリンクに関連させることと、をさらに備える。
【００６５】
いくつかの実施形態では、第１のリンク上で送信される１つまたは複数のチャネルに基づき第１の優先順位を第１のリンクに割り当てることと、第２のリンク上で送信される１つまたは複数のチャネルに基づき第２の優先順位を第２のリンクに割り当てることとが、複数のチャネルタイプのうちの予め規定された優先順位に従い、第１の優先順位と第２の優先順位とを割り当てることを含んでおり、複数のチャネルタイプのうちの予め規定された優先順位とは、物理ランダムアクセスチャネル（ＰＲＡＣＨ）が物理アップリンク制御チャネル（ＰＵＣＣＨ）よりも高い優先順位を有し、ＰＵＣＣＨが、アップリンク制御情報（ＵＣＩ）を備えたＰＵＳＣＨよりも高い優先順位を有し、ＵＣＩを備えたＰＵＳＣＨが、ＵＣＩを備えないＰＵＳＣＨよりも高い優先順位を有し、ＵＣＩを備えないＰＵＳＣＨがサウンディング参照信号（ＳＲＳ）よりも高い優先順位を有する、というものである。
【００６６】
いくつかの実施形態では、第１のリンク上で送信される１つまたは複数のチャネルに基づき第１の優先順位を第１のリンクに割り当てることと、第２のリンク上で送信される１つまたは複数のチャネルに基づき第２の優先順位を第２のリンクに割り当てることとが、複数のチャネルタイプのうちの予め規定された優先順位に従い、第１の優先順位と第２の優先順位とを割り当てることを備え、複数のチャネルタイプのうちの予め規定された優先順位とは、ＰＲＡＣＨが、肯定応答／非肯定応答（ＡＣＫ／ＮＡＣＫ）を備えたＰＵＣＣＨよりも高い優先順位を有し、ＡＣＫ／ＮＡＣＫを備えたＰＵＣＣＨが、ＡＣＫ／ＮＡＣＫを備えたＰＵＳＣＨよりも高い優先順位を有し、ＡＣＫ／ＮＡＣＫを備えたＰＵＳＣＨが、チャネル状態情報（ＣＳＩ）だけを備えたＰＵＳＣＨよりも高い優先順位を有し、ＣＳＩだけを備えたＰＵＳＣＨが、ＣＳＩだけを備えたＰＵＣＣＨよりも高い優先順位を有し、ＣＳＩだけを備えたＰＵＣＣＨが、ＳＲＳよりも高い優先順位を有し、ＳＲＳが、無線通信ネットワークによってトリガされた周期的ＣＳＩ報告を搬送するＵＣＩを備えたＰＵＳＣＨよりも高い優先順位を有する、というものである。
【００６７】
いくつかの実施形態では、優先順位がより高いチャネルが第１のリンクと第２のリンクとの一方において送信される場合には、第１の送信電力を第１のリンクに、第２の送信電力を第２のリンクに関連させることが、第１のリンクと第２のリンクとの他方からＳＲＳを脱落させることを備える。
【００６８】
いくつかの実施形態では、無線デバイスを動作させる方法は、第１のリンク上で送信される１つまたは複数の情報タイプに基づいて第１の優先順位を第１のリンクに関連させることと、第２のリンク上で送信される１つまたは複数の情報タイプに基づいて第２の優先順位を第２のリンクに関連させることと、をさらに備える。
【００６９】
上述されたように動作する無線デバイスの実施形態もまた開示されている。
【００７０】
当業者は、実施形態に関する以下の詳細な説明を、添付の図面と関連させて読んだ後には、本開示の範囲を認識し、その追加的態様を理解するであろう。
【００７１】
添付の図面は、本明細書に組み入れられ、本明細書の一部を形成するのであるが、本開示のいくつかの態様を図解しており、本説明と共に、本開示の原理を説明するように機能する。
【図面の簡単な説明】
【００７２】
【図１】基本的なＬｏｎｇ  Ｔｅｒｍ  Ｅｖｏｌｕｔｉｏｎ（ＬＴＥ）ダウンリンク物理リソースの図解である。
【図２】ＬＴＥの時間領域構造の概略図である。
【図３】３つの直交周波数分割多重化（ＯＦＤＭ）シンボルの制御領域を備えたＬＴＥのダウンリンクサブフレームの図解である。
【図４】レイヤ１（Ｌ１）／レイヤ２（Ｌ２）制御シグナリングＬＴＥの処理の図解であり、各物理ダウンリンク制御チャネル（ＰＤＣＣＨ）に対して、巡回冗長検査（ＣＲＣ）が各ダウンリンク制御情報（ＤＣＩ）メッセージに付属されている。
【図５】２つのＵＥに対する共通のサーチスペースとユーザ機器デバイス（ＵＥ）に特有のサーチスペースとを図解する概略図である。
【図６】ＬＴＥリリース８の物理アップリンク制御チャネル（ＰＵＣＣＨ）の上のアップリンクＬ１／Ｌ２制御に対して特に割り当てられるリソースを図解する概略図である。
【図７】キャリアアグリゲーション（ＣＡ）の図解である。
【図８】セルラ通信ネットワークにおける周波数分割複信（ＦＤＤ）と時分割複信（ＴＤＤ）との図解である。
【図９】ＦＤＤとＴＤＤとに対するＬＴＥフレーム構造の図解である。
【図１０】ＬＴＥにおいて許容される７つの異なるＴＤＤ構成の図解である。
【図１１】あるセルにおけるアップリンク送信が隣接するセルにおけるダウンリンク送信と干渉するシナリオの図解である。
【図１２】無線デバイスが動作のデュアルコネクティビティモードで動作しているときの、マスタエボルブドまたはエンハンストノードＢ（ＭｅＮＢ）とセカンダリエボルブドまたはエンハンストノードＢ（ＳｅＮＢ）とに対するアップリンク電力を図解する概略図である。
【図１３】本開示のいくつかの実施形態に従ってデュアルコネクティビティに対するアップリンク電力制御を可能にするセルラ通信ネットワークの図解である。
【図１４】本開示のいくつかの実施形態に従ってＭｅＮＢリンクとＳｅＮＢリンクとに対して規定された静的最大電力レベルを図解する概略図である。
【図１５】本開示のいくつかの実施形態に従うＭｅＮＢリンクとＳｅＮＢリンクとに対する最大送信電力レベルの静的構成に従って動作する無線デバイスの動作を図解するフローチャートである。
【図１６】本開示のいくつかの実施形態に従う図１５のステップのうちの１つのより詳細な図解である。
【図１７】無線デバイスが、規定された基準に基づき値を最大送信電力レベルに割り当てることによって、ＭｅＮＢおよびＳｅＮＢリンクに対する最大送信電力レベルを決定する、図１５のプロセスの図解である。
【図１８】本開示のいくつかの実施形態に従うＭｅＮＢおよびＳｅＮＢリンクに対する最大送信電力レベルの準静的構成の図解である。
【図１９】ＭｅＮＢおよびＳｅＮＢリンクに対する準静的に規定された最大送信電力レベルが本開示のいくつかの実施形態に従う既知のパターンを備えた２つまたはそれより多くのレベルを取り得る、一例の図解である。
【図２０】ＭｅＮＢおよびＳｅＮＢリンクに対する最大送信電力レベルが、当該リンクにわたって計算された送信電力の全体が最大許容可能送信電力レベルを超えるときだけに適用される、一例の図解である。
【図２１】本開示のいくつかの実施形態に従う準静的アップリンク電力制御方式に従って、ＭｅＮＢおよびＳｅＮＢリンク上でアップリンク送信を送信する無線デバイスの動作を図解するフローチャートである。
【図２２】本開示のいくつかの実施形態に従う図２１のステップのうちの１つのより詳細な図解である。
【図２３】本開示のいくつかの実施形態に従い、規定された基準に基づき値を最大送信電力レベルに準静的に割り当てることによって、ＭｅＮＢおよびＳｅＮＢリンクに対する最大送信電力レベルを無線デバイスが決定する、図２１のプロセスの図解である。
【図２４】本開示のいくつかの実施形態に従う、ＭｅＮＢおよびＳｅＮＢリンクに対する最大送信電力レベルの動的構成の一例の図解である。
【図２５】本開示のいくつかの実施形態に従い、ＭｅＮＢおよびＳｅＮＢリンクに対する最大送信電力レベルを動的に決定し、決定された最大送信電力レベルに従いリンクｋの上にアップリンク送信を送信する、無線デバイスの動作を図解するフローチャートである。
【図２６】本開示のいくつかの動的電力レベル構成の実施形態に従う無線デバイスの動作を図解するフローチャートである。
【図２７】２つの重複するサブフレームのうちの先行する方だけが考慮されるいくつかの実施形態に従う無線デバイスの動作を図解するフローチャートである。
【図２８Ａ】本開示のいくつかの実施形態に従ってＰＵＣＣＨ送信電力レベルを決定するためのプロセスの図解である。
【図２８Ｂ】本開示のいくつかの実施形態に従ってＰＵＣＣＨ送信電力レベルを決定するためのプロセスの図解である。
【図２９】本開示のいくつかの実施形態に従って物理アップリンク共有チャネル（ＰＵＳＣＨ）送信電力レベルを決定するためのプロセスの図解である。
【図３０】本開示のいくつかの他の実施形態に従ってＰＵＳＣＨ送信電力レベルを決定するためのプロセスの図解である。
【図３１】本開示のいくつかの実施形態に従い、すべてのキャリアおよびリンクにわたる電力スケーリングによりＰＵＳＣＨ送信電力レベルを決定するためのプロセスの図解である。
【図３２】本開示のいくつかの実施形態に従う電力スケーリング方式を用いる手順を図解するフローチャートである。
【図３３】本開示のいくつかの実施形態に従い、ＭｅＮＢおよびＳｅＮＢリンクに対する最大送信電力レベルを割り当てるために、アップリンクチャネルのこの優先順位付けを用いるある実施形態を図解するフローチャートである。
【図３４】本開示のいくつかの実施形態に従う基地局のブロック図である。
【図３５】本開示のいくつかの実施形態に従う無線デバイスのブロック図である。
【図３６】本開示のいくつかの他の実施形態に従う無線デバイスのブロック図である。
【発明を実施するための形態】
【００７３】
以下で述べられる実施形態は、当業者が、それらの実施形態を現実化し、それらの実施形態を現実化する最良の形態を例証することを可能にする情報を表す。添付の図面を考慮して以下の説明を読めば、当業者は、本開示の概念を理解するだろうし、本明細書で格別には論じられてはいないそれらの概念の応用を認識するであろう。これらの概念と応用とが本開示と添付の特許請求の範囲との範囲に属することが理解されるべきである。
【００７４】
デュアルコネクティビティのためにアップリンク共有を可能にするシステムおよび方法が、開示されている。各リンク上での最大アップリンク（ＵＬ）電力が静的、準静的、または動的に設定されている実施形態が、本明細書において説明されている。一般に、実施形態とは関係なく、無線デバイスからの２つの同時リンク上のアップリンク送信のためのアップリンク電力は、全アップリンク電力が最大ＵＬ送信電力レベルを超えないように、ただし、いくつかの実施形態では、それら２つのリンクの優先順位を、および／または、それら２つのリンク上で無線デバイスによって送信される様々なアップリンクチャネルの優先順位を考慮して、制御される。特に、本明細書で説明される実施形態は、デュアルコネクティビティに焦点を合わせているが、２つまたはそれよりも多い任意の数の同時リンクにも容易に拡張され得る。
【００７５】
図１３は、本開示のいくつかの実施形態に従いデュアルコネクティビティのためのアップリンク電力制御を可能にするセルラ通信ネットワーク１０を図解している。本明細書に提供されている説明では、セルラ通信ネットワーク１０は、Ｌｏｎｇ−Ｔｅｒｍ  Ｅｖｏｌｕｔｉｏｎ（ＬＴＥ）ネットワークであり、したがって、ＬＴＥの用語がしばしば用いられる。しかし、本開示は、ＬＴＥに限定されない。むしろ、本明細書に開示されている実施形態は、デュアルコネクティビティをサポートする任意の適切な無線システムにおいて、実装され得る。したがって、任意のタイプの無線ネットワークにおける任意の無線ノードを指すために、本明細書では、より一般的な用語である「無線ネットワークノード」（たとえば、ＬＴＥネットワークなどのセルラ通信ネットワークにおける基地局またはエンハンストもしくはエボルブドノードＢ（ｅＮＢ）などの無線アクセスノード、ＷｉＦｉネットワークなどのローカル無線ネットワークにおける無線アクセスノードなど）が用いられる。
【００７６】
図解されているように、セルラ通信ネットワーク１０は、デュアルコネクティビティ方式によるアップリンク送信のためにマスタｅＮＢ（ＭｅＮＢ）１４とセカンダリｅＮＢ（ＳｅＮＢ）１６とへの２つの同時リンクを有する無線デバイス１２（たとえば、ユーザ機器デバイス（ＵＥ））を含む。本明細書においては、ＭｅＮＢ１４はアンカｅＮＢと称されることもあり得るし、ＳｅＮＢ１６はブースタｅＮＢと称されることもあり得る。
【００７７】
既に論じられたように、従来型のデュアルコネクティビティ方式に伴う問題点は、２つのリンクに対する最大ＵＬ送信電力レベルが相互に独立である、ということである。結果的に、無線デバイス１２の全アップリンク送信電力が、最大許容可能送信電力レベルを超えることがあり得る。最大許容可能送信電力レベルとは、たとえば、与えられたセルにおいて許容される最大ＵＬ電力と、無線デバイス１２のＵＥ電力クラスと、変調および送信帯域幅と、適用可能な電磁気エネルギ吸収要件のコンプライアンスと、それ以外の要件とを考慮するように規定される、何らかの予め規定された電力レベルである。以下で論じられるように、２つのリンクにわたる無線デバイス１２の全送信電力が最大許容可能送信電力レベルを超えないことを保証するシステムおよび方法が、本明細書で説明される。
【００７８】
いくつかの実施形態では、最大許容可能送信電力レベルが、ＭｅＮＢ１４へのリンクとＳｅＮＢ１６へのリンクとのそれぞれに対して２つの静的な固定された最大送信電力レベルである
2020080536.tif 000013
および
2020080536.tif 000014
を規定することによって、強制され、
2020080536.tif 000015
(1)
が成立する。ここで、
2020080536.tif 000016
は、ＭｅＮＢリンク上の無線デバイス１２の最大出力電力の線形値であり、
2020080536.tif 000017
は、ＳｅＮＢリンク上の無線デバイス１２の最大出力電力の線形値であり、
2020080536.tif 000018
は、サブフレームｉに対する無線デバイス１２の設定された全最大出力電力ＰＣＭＡＸの線形値である。無線デバイス１２の全最大出力電力
2020080536.tif 000019
は、固定されている（すなわち、すべてのサブフレームに対して同一）であり得るか、または、可変（たとえば、時間経過に伴い少なくともいくつかのサブフレームの間で変動する）であり得る。
【００７９】
静的な最大電力レベル
2020080536.tif 000020
および
2020080536.tif 000021
は、無線デバイス１２だけでなく、ＭｅＮＢ１４およびＳｅＮＢ１６の両方にも知られている。静的な最大送信電力レベル
2020080536.tif 000022
および
2020080536.tif 000023
は、時間経過と共に変動することはない。特に、いくつかの実施形態では、静的な最大送信電力レベル
2020080536.tif 000024
および
2020080536.tif 000025
は、無線デバイス１２の全最大出力電力
2020080536.tif 000026
の静的な比すなわち静的なパーセンテージとして規定される。しかし、静的な比は時間経過に伴って変動することはないが、全最大出力電力
2020080536.tif 000027
は、いくつかの実施形態では、時間経過と共に変動し得る、ということに注意すべきである。結果的に、静的な最大送信電力レベル
2020080536.tif 000028
および
2020080536.tif 000029
は、実際には、時間経過に伴い変動し得るが、全最大出力電力
2020080536.tif 000030
の比率は変化せず、この全最大出力電力は、
2020080536.tif 000031
および
2020080536.tif 000032
に対応する。静的な最大送信電力レベル
2020080536.tif 000033
および
2020080536.tif 000034
を用いる利点の１つは、明示的なシグナリングが不要であることである。
【００８０】
図１４は、ある例に従いＭｅＮＢおよびＳｅＮＢリンクに対して規定された静的な最大電力レベルを図解する概略図である。図解されているように、この例では、
2020080536.tif 000035
である。しかし、これは単なる一例である。この開示を読むことで当業者によって認識されるように、この静的なシナリオは、より一般的には、
2020080536.tif 000036
および
2020080536.tif 000037
として表現され得るのであるが、ここで、
2020080536.tif 000038
である。
【００８１】
最大送信電力レベルである
2020080536.tif 000039
および
2020080536.tif 000040
は、任意の適切な態様で、配分され得る。第１の例として、最大送信電力レベルである
2020080536.tif 000041
および
2020080536.tif 000042
は、
2020080536.tif 000043
として配分され得る。この配分は、ＭｅＮＢリンクとＳｅＮＢリンクとを、アップリンク電力の点で、等しく扱っている。第２の例としては、ＭｅＮＢリンクとＳｅＮＢリンクとが、たとえば、無線デバイス１２が２つのリンク上で用いるアップリンクアンテナポートの個数、２つのリンクのそれぞれの上でのアップリンク送信が設定されるサービングセルの個数、または２つのリンク上で無線デバイス１２が割り当てられることが予想されるリソースブロック（ＲＢ）の平均個数などに従い、等しくない最大電力レベル（すなわち、
2020080536.tif 000044
）を割り当てられ得る。
【００８２】
図１５は、本開示のいくつかの実施形態による最大送信電力レベル
2020080536.tif 000045
および
2020080536.tif 000046
の静的構成に従って動作する無線デバイス１２の動作を図解するフローチャートである。このプロセスは、上述された実施形態のうちのいくつかを単に例証している。図解されているように、無線デバイス１２は、ＭｅＮＢ１４およびＳｅＮＢ１６への同時リンクに対する最大送信電力レベル
2020080536.tif 000047
および
2020080536.tif 000048
を決定する（ステップ１００）。上で論じられたように、最大送信電力レベル
2020080536.tif 000049
および
2020080536.tif 000050
は、無線デバイス１２の全最大許容可能出力電力
2020080536.tif 000051
の静的な比すなわちパーセンテージとして規定され得る。これらの静的な比は、上の
2020080536.tif 000052
および
2020080536.tif 000053
として示され、任意の適切な態様（たとえば、無線デバイス１２によって規定される、または、ＭｅＮＢ１４によって設定される）で割り当てられ得る。無線デバイス１２は、それぞれ最大送信電力レベル
2020080536.tif 000054
および
2020080536.tif 000055
に従って、ＭｅＮＢリンクおよびＳｅＮＢリンク上に、アップリンク送信を送信する（ステップ１０２）。
【００８３】
図１６は、本開示のいくつかの実施形態による図１５のステップ１００を、より詳細に図解している。図１６は、最大送信電力レベル
2020080536.tif 000056
が決定される態様を図解している。同じプロセスが、最大送信電力レベル
2020080536.tif 000057
を決定するのに用いられ得る。図解されているように、サブフレームインデクスが、最初に初期化（たとえば、０の値に）される（ステップ２００）。無線デバイス１２は、次に、本明細書ではリンクｋと称されるＭｅＮＢ１４へのリンクのサブフレームｉに対する最大送信電力レベル
2020080536.tif 000058
を、最大送信電力レベル
2020080536.tif 000059
の静的規定に従って、サブフレームｉに対する無線デバイス１２の最大許容可能送信電力
2020080536.tif 000060
の比として、決定する（ステップ２０２）。インデクスｉは、次に、インクリメントされ（ステップ２０４）、プロセスは、次に、ステップ２０２に戻る。この態様で、無線デバイス１２は、リンクｋ（すなわち、ＭｅＮＢ１４へのリンク）上で送信される各サブフレームｉに対する最大送信電力レベル
2020080536.tif 000061
を決定する。
【００８４】
同じプロセスを用いて、無線デバイス１２は、リンクｋ’（すなわち、ＳｅＮＢ１６へのリンク）上で送信される各サブフレームｉに対する最大送信電力レベル
2020080536.tif 000062
を、最大送信電力レベル
2020080536.tif 000063
の静的規定に従って、リンクｋ’上で送信されるサブフレームｉに対する最大許容可能送信電力の比として、決定する。特に、この議論のためには、最大許容可能送信電力レベル
2020080536.tif 000064
は、リンクｋ上で送信されるサブフレームｉの要件とリンクｋ’上で送信されるサブフレームｉの要件とを考慮に入れることによって決定される、ということが仮定される。
【００８５】
上で論じられたように、いくつかの実施形態では、無線デバイス１２が、最大送信電力レベル
2020080536.tif 000065
および
2020080536.tif 000066
を、たとえば、無線デバイス１２が２つのリンク上で用いるアップリンクアンテナポートの個数、２つのリンクのそれぞれの上でのアップリンク送信が設定されるサービングセルの個数、または２つのリンク上で無線デバイス１２が割り当てられることが予想されるＲＢの平均個数などの基準に基づいて、割り当てる。これに関し、図１７は、無線デバイス１２が、最大送信電力レベル
2020080536.tif 000067
および
2020080536.tif 000068
を、本開示のいくつかの実施形態による規定された基準に基づいて、（潜在的に等しくない）値を、最大送信電力レベル
2020080536.tif 000069
および
2020080536.tif 000070
に割り当てることによって、決定する図１５のプロセスを図解している。
【００８６】
より詳しくは、図解されているように、無線デバイス１２が、最大送信電力レベル
2020080536.tif 000071
および
2020080536.tif 000072
を、（潜在的に等しくない）値を、最大送信電力レベル
2020080536.tif 000073
および
2020080536.tif 000074
として、予め規定された基準に基づいて割り当てる（ステップ３００）ことにより、決定する（ステップ１００）。上で論じられたように、予め規定された基準は、たとえば、無線デバイス１２が２つのリンク上で用いるアップリンクアンテナポートの個数、２つのリンクのそれぞれの上でのアップリンク送信をが設定されるサービングセルの個数、または２つのリンク上で無線デバイス１２が割り当てられることが予想されるＲＢの平均個数であり得る。いくつかの実施形態では、これらの基準のうちの複数が、考慮されることがあり得る。上で論じられたように、無線デバイス１２は、最大送信電力レベル
2020080536.tif 000075
および
2020080536.tif 000076
にそれぞれ従って、ＭｅＮＢリンクおよびＳｅＮＢリンク上でアップリンク送信を送信する（ステップ１０２）。
【００８７】
図１４から図１７の実施形態は、デュアルコネクティビティ方式によるＭｅＮＢ１４およびＳｅＮＢ１６への同時アップリンク送信に対する最大送信電力レベル
2020080536.tif 000077
および
2020080536.tif 000078
の静的構成に関する。次に、議論を、最大送信電力レベル
2020080536.tif 000079
および
2020080536.tif 000080
の構成が準静的である実施形態に変更することにする。
【００８８】
いくつかの実施形態では、静的なすなわち固定された最大送信電力レベルを割り当てる代わりに、時間経過に伴い、準静的な態様で、調整が行われ得る。いくつかの実施形態では、最大送信電力レベル
2020080536.tif 000081
および
2020080536.tif 000082
が、間隔Ｔの間は固定されており（たとえば、間隔Ｔの間、最大許容可能送信電力
2020080536.tif 000083
の比またはパーセンテージが固定されている）、他方で、最大送信電力レベル
2020080536.tif 000084
および
2020080536.tif 000085
が、ある時間間隔Ｔから別の時間間隔までの間に変動し得る（たとえば、最大許容可能送信電力レベル
2020080536.tif 000086
の比またはパーセンテージが、ある時間間隔Ｔから別の時間間隔までの間に変動し得る）。
【００８９】
最大送信電力レベル
2020080536.tif 000087
および
2020080536.tif 000088
の準静的な構成が、図１８に図解されている。この例では、最大送信電力レベル
2020080536.tif 000089
および
2020080536.tif 000090
が、準静的な比すなわちパーセンテージ
2020080536.tif 000091
および
2020080536.tif 000092
として規定されるのであるが、これらはそれぞれ、最大許容可能送信電力
2020080536.tif 000093
の準静的な比すなわちパーセンテージである。特に、第１の時間間隔（Ｔ１）の間の最大送信電力レベル
2020080536.tif 000094
および
2020080536.tif 000095
は、
2020080536.tif 000096
および
2020080536.tif 000097
と示されるのであるが、これらの間には、
2020080536.tif 000098
および
2020080536.tif 000099
が成立し、ここで、
2020080536.tif 000100
および
2020080536.tif 000101
は、第１の時間間隔Ｔ１に対して規定される準静的に規定された比であり、
2020080536.tif 000102
が成立する。特に、この例では、最大許容可能送信電力レベル
2020080536.tif 000103
が、第１の時間間隔Ｔ１の間は一定であることが仮定されているが、本開示は、そのように制限されない。同様に、第２の時間間隔（Ｔ２）の間の最大送信電力レベル
2020080536.tif 000104
および
2020080536.tif 000105
は、
2020080536.tif 000106
および
2020080536.tif 000107
と示されるのであるが、これらの間には、
2020080536.tif 000108
および
2020080536.tif 000109
が成立し、ここで、
2020080536.tif 000110
および
2020080536.tif 000111
は、第２の時間間隔Ｔ２に対して規定される準静的に規定された比であり、
2020080536.tif 000112
が成立する。特に、この例では、最大許容可能送信電力レベル
2020080536.tif 000113
が、第２の時間間隔Ｔ２の間はやはり一定であることが仮定されているが、本開示は、そのように制限されない。
【００９０】
最大送信電力レベル
2020080536.tif 000114
および
2020080536.tif 000115
の調整は、低速である（すなわち、Ｔが長い）ことが予想される（たとえば、調整は、無線リソース制御（ＲＲＣ）シグナリングなど何らかの準静的なシグナリング経由で、準静的になされ得る）。たとえば、無線デバイス１２が屋外環境から屋内環境にまたはその反対の方向に移動するときに、調整が望まれ得る。利点は、最大送信電力レベル
2020080536.tif 000116
および
2020080536.tif 000117
が、無線デバイス１２が経験する変動する条件と整合するように、時間経過に伴い、調整され得る、ということである。いくつかの実施形態では、無線デバイス１２は、最大送信電力レベル
2020080536.tif 000118
および
2020080536.tif 000119
の準静的な調整を実行し、最大送信電力レベル
2020080536.tif 000120
および
2020080536.tif 000121
に対する結果的な値を、ＭｅＮＢ１４およびＳｅＮＢ１６にシグナリングする。
【００９１】
ある例示的な実施形態では、与えられた時間間隔Ｔに対して、無線デバイス１２は、ＭｅＮＢリンク（すなわち、リンクｋ）およびＳｅＮＢリンク（すなわち、リンクｋ’）上の平均経路損失をトラッキングする。無線デバイス１２は、次に、次の時間間隔ＴにおけるＭｅＮＢリンクおよびＳｅＮＢリンク上の経路損失と比例するように、
2020080536.tif 000122
および
2020080536.tif 000123
を選択する。このアプローチは、経路損失を補償するために、より高い方の電力をより不十分な方のリンクに比例的に配分することにより、２つのリンク上で同一のデータレートを維持しようとするのである。
【００９２】
別の例としては、与えられた時間間隔Ｔに対して、無線デバイス１２は、ＭｅＮＢリンクおよびＳｅＮＢリンク上の平均経路損失をトラッキングするのであるが、次の時間間隔ＴにおけるＭｅＮＢリンクおよびＳｅＮＢリンク上の経路損失と逆比例するように、
2020080536.tif 000124
および
2020080536.tif 000125
を選択する。このアプローチは、より良いチャネル条件を備えたリンクにより多くの電力を配分することにより、２つのリンク上での集約データレートを最大化しようとするのである。
【００９３】
他の例では、無線デバイス１２が、たとえば、（ａ）無線デバイス１２が生じさせるアップリンク干渉、（ｂ）無線デバイス１２が２つのリンク上で用いるアップリンクアンテナポートの個数、（ｃ）無線デバイス１２が割り当てられるＲＢの平均個数、（ｄ）２つのリンク上のベアラのサービス品質クラスインジケータ（ＱＣＩ）、および／または（ｅ）各リンク上のアップリンク送信が設定されるサービングセルの個数などの他のファクタに従って、最大送信電力レベル
2020080536.tif 000126
および
2020080536.tif 000127
を変動させることがあり得る。
【００９４】
準静的電力配分のバリエーションとしては、間隔Ｔの間に、最大送信電力レベル
2020080536.tif 000128
および
2020080536.tif 000129
が、既知のパターンを有する２つまたはそれより多くのレベルを取り得るということがある。一例が、図１９に図解されている。これは、ＭｅＮＢ１４またはＳｅＮＢ１６の不連続送信（ＤＴＸ）を取り扱うのに有用であり得る。たとえば、より高いレベルは無線デバイス１２がアップリンク送信を有し得るサブフレームに対するものであり、より低いレベルはアップリンク送信が存在しないことが知られている間隔に対するものである。図１９は単なる一例であることに注意すべきである。パターンは、時間間隔Ｔの間に２つまたはそれより多い任意の数の最大送信電力レベルを有し得る。
【００９５】
ある別の実施形態では、リンクに対する最大送信電力レベル
2020080536.tif 000130
および
2020080536.tif 000131
は、ＭｅＮＢ１４およびＳｅＮＢ１６へのアップリンクにおけるすべての計算された送信電力が最大許容可能送信電力レベル
2020080536.tif 000132
を超えるときにだけ、適用される。準静的な最大送信電力レベル
2020080536.tif 000133
および
2020080536.tif 000134
は、ＭｅＮＢ１４およびＳｅＮＢ１６に対するすべての計算された送信電力が最大許容可能送信電力レベル
2020080536.tif 000135
を超えないときには、適用されない。一例が、図２０に与えられている。
【００９６】
図２１は、本開示のいくつかの実施形態による準静的なアップリンク電力制御方式に従って、ＭｅＮＢ１４およびＳｅＮＢ１６へのリンク上でアップリンク送信を送信する無線デバイス１２の動作を図解するフローチャートである。このプロセスは、上述された準静的な実施形態のうちの少なくともいくつかに対応する。図解されているように、（破線によって示されているように）オプションとして、無線デバイス１２が、ＭｅＮＢリンクとＳｅＮＢリンクとに対する無線デバイス１２のためのすべての計算された送信電力が所定の最大許容可能送信電力レベル
2020080536.tif 000136
よりも大きいかどうかを判断する（ステップ４００）。大きくない場合には、無線デバイス１２は、計算された送信電力レベルを用いて、それぞれのリンク上でＭｅＮＢ１４およびＳｅＮＢ１６にアップリンク送信を送信し（ステップ４０２）、次に、プロセスは、ＭｅＮＢおよび／またはＳｅＮＢへの予定されているＵＬ送信が存在する場合には、ステップ４００に戻る。計算された送信電力レベルは、たとえば、一方のリンクのアップリンク送信電力レベルを計算するとき（すなわち、２つのリンクに対する送信電力レベルを別々に計算するとき）に、他方のリンクのアップリンク送信電力レベルを考慮に入れることなく計算された送信電力レベル（たとえば、従来の態様において）であり得る。
【００９７】
逆に、ＭｅＮＢリンクおよびＳｅＮＢリンクに対する無線デバイス１２のためのすべての計算された送信電力が所定の最大許容可能送信電力レベル
2020080536.tif 000137
よりも大きい場合には、無線デバイス１２は、ＭｅＮＢリンクおよびＳｅＮＢリンクのそれぞれに対する準静的な最大送信電力レベル
2020080536.tif 000138
および
2020080536.tif 000139
を決定する（ステップ４０４）。上で論じられたように、いくつかの実施形態では、準静的な最大送信電力レベル
2020080536.tif 000140
および
2020080536.tif 000141
は、それらが、準静的な比
2020080536.tif 000142
および
2020080536.tif 000143
に従って規定されるという点で、準静的であるが、これらのそれぞれで表される準静的な比は、最大許容可能送信電力レベル
2020080536.tif 000144
の準静的な比であり、ここで、最大許容可能送信電力レベル
2020080536.tif 000145
は、静的または可変であり得る。特に、この実施形態では、最大送信電力レベル
2020080536.tif 000146
および
2020080536.tif 000147
（または、同様に、比
2020080536.tif 000148
および
2020080536.tif 000149
）は、各時間間隔Ｔに対して更新される。無線デバイス１２は、次に、ステップ４０４で決定された最大送信電力レベル
2020080536.tif 000150
および
2020080536.tif 000151
に従って、対応するリンク上で、ＭｅＮＢ１４およびＳｅＮＢ１６にアップリンク送信を送信する（ステップ４０６）。プロセスは、次に、ステップ４００に戻り、反復される。いくつかの実施形態では、プロセスは２つのリンクのそれぞれの各サブフレームに対して反復される。
【００９８】
図２２は、本開示のいくつかの実施形態に従って、図２１のステップ４０４を、より詳細に図解している。図２２は、最大送信電力レベル
2020080536.tif 000152
が、最大送信電力レベル
2020080536.tif 000153
の準静的な規定に従い、最大許容可能送信電力レベル
2020080536.tif 000154
の比として決定される態様を図解している。同じプロセスが、最大送信電力レベル
2020080536.tif 000155
を決定するのにも用いられ得る。図解されているように、サブフレームインデクスが、まず、（たとえば、０の値に）初期化される（ステップ５００）。無線デバイス１２は、次に、本明細書ではリンクｋと称されるＭｅＮＢ１４へのリンクのサブフレームｉに対する最大送信電力レベル
2020080536.tif 000156
を、最大送信電力レベル
2020080536.tif 000157
の準静的な規定に従って、サブフレームｉに対する無線デバイス１２の最大許容可能送信電力レベル
2020080536.tif 000158
の比として、決定する（ステップ５０２）。次に、インデクスｉがインクリメントされ（ステップ５０４）、プロセスは、ステップ５０２に戻る。このようにして、無線デバイス１２は、リンクｋ（すなわち、ＭｅＮＢ１４へのリンク）上で送信される各サブフレームｉに対する最大送信電力レベル
2020080536.tif 000159
を決定する。
【００９９】
同じプロセスを用いて、無線デバイス１２は、リンクｋ’（すなわち、ＳｅＮＢ１６へのリンク）上で送信される各サブフレームｉに対する最大送信電力レベル
2020080536.tif 000160
を、最大送信電力レベル
2020080536.tif 000161
の準静的規定に従って、リンクｋ’上で送信されるサブフレームｉに対する最大許容可能送信電力レベルの比として、決定する。特に、この議論のためには、最大許容可能送信電力レベルは、リンクｋ上で送信されるサブフレームｉの要件とリンクｋ’上で送信されるサブフレームｉの要件とを考慮に入れることによって決定される、ということが仮定される。
【０１００】
上で論じられたように、いくつかの実施形態では、無線デバイス１２が、最大送信電力レベル
2020080536.tif 000162
および
2020080536.tif 000163
を、たとえば、（ａ）無線デバイス１２が生じさせるアップリンク干渉、（ｂ）無線デバイス１２が２つのリンク上で用いるアップリンクアンテナポートの個数、（ｃ）無線デバイス１２が割り当てられるＲＢの平均個数、（ｄ）２つのリンク上のベアラのＱＣＩ、および／または（ｅ）各リンク上のアップリンク送信をが設定されるサービングセルの個数などの基準に基づいて、準静的に割り当てる。これに関し、図２３は、無線デバイス１２が、最大送信電力レベル
2020080536.tif 000164
および
2020080536.tif 000165
を、本開示のいくつかの実施形態による規定された基準に基づいて、（潜在的に等しくない）値を、最大送信電力レベル
2020080536.tif 000166
および
2020080536.tif 000167
に準静的に割り当てることによって、決定する図２１のプロセスを図解している。
【０１０１】
より詳しくは、図解されているように、無線デバイス１２が、最大送信電力レベル
2020080536.tif 000168
および
2020080536.tif 000169
を、（潜在的に等しくない）準静的な値を、最大送信電力レベル
2020080536.tif 000170
および
2020080536.tif 000171
として、予め規定された基準に基づいて割り当てる（ステップ６００）ことにより、決定する（ステップ４０４）。上で論じられたように、予め規定された基準は、たとえば、（ａ）無線デバイス１２が生じさせるアップリンク干渉、（ｂ）無線デバイス１２が２つのリンク上で用いるアップリンクアンテナポートの個数、（ｃ）無線デバイス１２が割り当てられるＲＢの平均個数、（ｄ）２つのリンク上のベアラのＱＣＩ、および／または（ｅ）各リンク上のアップリンク送信が設定されるサービングセルの個数などであり得る。いくつかの実施形態では、これらの基準のうちの複数が、考慮されることがあり得る。
【０１０２】
これまでの議論は、最大送信電力レベル
2020080536.tif 000172
および
2020080536.tif 000173
の静的および準静的な構成に焦点を合わせてきた。これからの議論では、最大送信電力レベル
2020080536.tif 000174
および
2020080536.tif 000175
の構成が動的である実施形態に方向を転じることにする。上で論じられた実施形態と同様に、アップリンク電力制御が、無線デバイス１２が２つのネットワークノードへの２つの接続またはリンクをそれぞれ有しているシナリオに対して提供される。各接続またはリンクは、さらに、無線デバイス１２と関連する１つまたは複数のサービングセルから構成され得る。特に、マスタセルグループ（ＭＣＧ）は、ＭｅＮＢ１４と関連するサービングセルのグループであり、セカンダリセルグループ（ＳＣＧ）は、ＳｅＮＢ１６と関連するサービングセルのグループである。
【０１０３】
最大送信電力レベル
2020080536.tif 000176
および
2020080536.tif 000177
の動的な構成の一例が、図２４に図解されている。図解されているように、２つのリンク上のサブフレームの境界が位置合わせされていない非同期の場合には、無線デバイス１２が、ＳｅＮＢリンク（リンクｋ’）の１つまたは複数の重複するサブフレームにおいて用いられる送信電力を考慮に入れることにより、ＭｅＮＢリンク（リンクｋ）の上の各サブフレームｉに対する最大送信電力レベル
2020080536.tif 000178
を決定するのであるが、その逆も行われる。図解されているように、ＭｅＮＢリンク上の各サブフレームは、ＳｅＮＢリンク上に２つの重複するサブフレームを有する。同様に、ＳｅＮＢリンク上の各サブフレームは、ＭｅＮＢリンク上に２つの重複するサブフレームを有する。たとえば、ＳｅＮＢリンク上のサブフレームｉは、ＭｅＮＢリンク上のサブフレームｉおよびｉ＋１によって部分的に重複される。ここでは、単純化のために、ＭｅＮＢおよびＳｅＮＢのサブフレームは共に変数「ｉ」や「ｉ−１」などを用いて示されているが、一般的には、ＭｅＮＢおよびＳｅＮＢのサブフレームは、実質的に異なるサブフレームのナンバリングを有し得るのであって、２つの異なる変数を用いて示され得る、ということに、注意することが重要である。たとえば、一般的には、ＭｅＮＢのサブフレームはインデクスＥを用いて示され、他方で、ＳｅＮＢのサブフレームはインデクスＦを用いて示される。以下で詳細に論じられるように、いくつかの実施形態では、両方の重複するサブフレームの上の送信電力が考慮に入れられる。別の実施形態では、２つの重複するサブフレームのうちの（時間的に）先行するものだけの送信電力が考慮に入れられる。さらに、いくつかの実施形態では、リンクｋおよびｋ’の特定のサブフレームに対する動的な送信電力制御は、サブフレームと他方のリンク上のそれに重複するサブフレームとに対するすべての計算された送信電力が無線デバイス１２の最大許容可能送信電力を超える場合にだけ、実行される。
【０１０４】
さらに詳しくは、いくつかの実施形態では、無線デバイス１２は、無線デバイス１２がＭｅＮＢリンク（リンクｋとして示される）とＳｅＮＢリンク（リンクｋ’として示される）とのそれぞれの上のアップリンク送信に用いる最大送信電力レベル
2020080536.tif 000179
および
2020080536.tif 000180
を決定するために、以下で概観される手順に従う。簡潔にするために、後述される手順では、各リンクにおける１つのセルだけがアップリンクを設定しており、ただ１つのアップリンクチャネルだけがアップリンクサブフレームにおいて送られる（たとえば、物理アップリンク制御チャネル（ＰＵＣＣＨ）または物理アップリンク共有チャネル（ＰＵＳＣＨ））、と仮定される。
【０１０５】
ステップ１：リンクｋのサブフレームｉに対し、無線デバイス１２は、リンクｋのサブフレームｉの第１のスロットに従って、送信電力限度を考慮に入れる値
2020080536.tif 000181
を計算する。特に、「スロット」という用語が用いられているが、当業者には理解され得るように、値
2020080536.tif 000182
は、リンクｋ’の上の重複するサブフレームｉの送信電力を考慮に入れると、より正確には、リンクｋのサブフレームｉ（すなわち、リンクｋの上のサブフレームｉと部分的に重複するリンクｋ’の上の２つのサブフレームの先行する方）に対する最大送信電力レベルであることを指摘することが重要である。この重複は、２つのリンクｋおよびｋ’のサブフレームの境界の間の時間オフセットに応じた任意の量の重複であり得る。ある特定の場合または例では、タイミングオフセットは、リンクｋのサブフレームｉとリンクｋ’の重複するサブフレームｉとの間の重複が１つのスロットと等しい、というものである。しかし、重複はそのような重複に限定されることはない。こうして、以下で論じられるように、リンクｋの上のサブフレームｉの第１のスロットと重複すると称されるリンクｋ’の上のサブフレームは、（ａ）リンクｋの上のサブフレームｉの開始サブフレーム境界よりも（時間的に）前にある開始サブフレーム境界と、（ｂ）リンクｋの上のサブフレームｉの開始サブフレーム境界よりも後にあるが、リンクｋの上のサブフレームｉの終了サブフレーム境界よりも前にある終了サブフレーム境界と、を有するリンクｋ’の上のサブフレームとして理解され得る。逆に、リンクｋの上のサブフレームｉの第２のスロットと重複すると称されるリンクｋ’の上のサブフレームは、（ａ）リンクｋの上のサブフレームｉの開始サブフレーム境界よりも後であるが、リンクｋの上のサブフレームｉの終了サブフレーム境界よりも前にある開始サブフレーム境界と、（ｂ）リンクｋの上のサブフレームｉの終了サブフレーム境界よりも後にある終了サブフレーム境界と、を有するリンクｋ’の上のサブフレームとして理解され得る。
【０１０６】
リンクｋの上のサブフレームｉの第１のスロットと重複する他方のリンクｋ’の上にアップリンク送信が存在する場合には、
2020080536.tif 000183
を計算するのであるが、ここで、
2020080536.tif 000184
は、全体の設定された最大出力電力ＰＣＭＡＸの線形値を指し、
2020080536.tif 000185
は、リンクｋの上のサブフレームｉの第１のスロットと重複するサブフレームの上の他方のリンクｋ’によって用いられる電力レベルを指し、
2020080536.tif 000186
は、リンクｋは、無線デバイス１２がリンクｋのサブフレームｉの全体の継続時間においてアップリンク送信を有する単一のリンクであると仮定して（すなわち、リンクｋ’と重複しないことを仮定して）、リンクｋに対して計算された線形電力値である。よって、
2020080536.tif 000187
は、リンクｋが、無線デバイス１２がリンクｋのサブフレームｉの全体の継続時間においてアップリンク送信を有する単一のリンクであると仮定する場合の、リンクｋに対して計算された線形電力値と、リンクｋの上のサブフレームｉの第１のスロットと重複するサブフレームの上の他方のリンクｋ’において用いられる電力を考慮するときに、リンクｋのサブフレームｉに対する最大出力電力
2020080536.tif 000188
の未使用分との小さい方である。リンクｋのサブフレームｉの第１のスロットと重複する他方のリンク（リンクｋ’）の上に送信がない場合には、
2020080536.tif 000189
および
2020080536.tif 000190
が成立する。
【０１０７】
ステップ２：リンクｋのサブフレームｉに対し、無線デバイス１２は、送信電力限度を考慮に入れる値
2020080536.tif 000191
を、リンクｋの上のサブフレームｉの第２のスロットに従って、計算する。リンクｋの上のサブフレームｉの第２のスロットと重複する他方のリンクｋ’の上にアップリンク送信が存在する場合には、
2020080536.tif 000192
は、リンクｋのサブフレームｉが、リンクｋ’の重複しているサブフレームとサブフレーム境界において位置合わせされているものとして、計算される。このステップでは、２つのリンクの間のアップリンクチャネルタイプの優先順位が考慮に入れられる。他方のリンクｋ’の上に、リンクｋのサブフレームｉの第２のスロットと重複するアップリンク送信がない場合には、
2020080536.tif 000193
である。
【０１０８】
ステップ３：リンクｋのサブフレームｉに対して無線デバイス１２が選択する最終的な電力レベル（すなわち、
2020080536.tif 000194
または
2020080536.tif 000195
）は、
2020080536.tif 000196
である。この電力レベルは、与えられたリンクに対する、すなわち、ＭｅＮＢおよびＳｅＮＢの一方の例におけるすべての利用可能な電力を表す。これは、これらのリンクのいずれかにおけるすべてのキャリアに対するすべての利用可能な電力を表す。たとえば、リンクｋが２つのアップリンクコンポーネントキャリアを用いて設定されている場合には、リンクｋのすべての利用可能な電力は、さらに、２つのアップリンクキャリアの上の送信によって共有される。２つのリンクのサブフレーム境界が位置合わせされている（あるタイミングアドバンスグループ（ＴＡＧ）を用いた同期ネットワークの）場合には、計算は、縮退し、
2020080536.tif 000197
となることに注意すべきである。この同じプロセスが、リンクｋの各サブフレームに対して反復される。同様に、このプロセスは、リンクｋ’に対する
2020080536.tif 000198
を決定するように、実行される。
【０１０９】
ある単純化として、ステップ２およびステップ３は、削除されることがあり得る。リンクｋに対するサブフレームｉの第２のスロットとリンクｋ’に対するサブフレームｉ＋１の第１のスロットとの間で可能性がある重複は、まったく考慮されず、最終的な電力レベルは、縮退して、
2020080536.tif 000199
となる。
【０１１０】
一方のリンク上のサウンディング参照信号（ＳＲＳ）が他方のリンク上のより優先順位が高い送信と重複する場合には、ＳＲＳは、電力がスケーリングされるよりも、むしろ脱落させられることがあり得ることにも注意すべきである。
【０１１１】
上述したステップは、与えられたリンクに対する同じアップリンクサブフレームにおいて２つのアップリンクチャネル（たとえば、ＰＵＣＣＨおよびＰＵＳＣＨ）が許容されるバリエーションに対応するために、修正されることがあり得る。リンクｋの上にただ１つのアップリンクチャネルだけがある（すなわち、同時的なＰＵＳＣＨまたはＰＵＣＣＨがない）場合には、
2020080536.tif 000200
は、リンクｋ’との重複がないと仮定して、リンクｋの上のアップリンクチャネル（ＰＵＳＣＨまたはＰＵＣＣＨ）に対して計算された線形電力値である。
2020080536.tif 000201
は、リンクｋの上のアップリンクチャネルの最終的な電力レベルである。ステップ１および２の説明において仮定されたシナリオである。逆に、リンクｋの上に２つの同時アップリンクチャネルがある場合には（たとえば、あるサブフレームにおける同時的なＰＵＳＣＨおよびＰＵＣＣＨ）、
2020080536.tif 000202
は、リンクｋ’との重複が存在しないと仮定して、リンクｋの上のアップリンクチャネル（ＰＵＳＣＨおよびＰＵＣＣＨ）に対して計算された線形電力値の和である。ほとんどの場合に、
2020080536.tif 000203
である。ステップ２において得られる
2020080536.tif 000204
は、リンクｋの上の両方のアップリンクチャネルに対する最大電力である。２つの同時アップリンクチャネルの間で
2020080536.tif 000205
をさらに配分するために、それぞれの個別のアップリンクチャネルの最終的な電力レベルが、既存の式を用い、
2020080536.tif 000206
を
2020080536.tif 000207
であるとして、計算される。
【０１１２】
以上の説明では、各リンクは、アップリンク送信が設定されたただ１つのサービングセルを有する、と仮定されている（ＬＴＥリリース１２）。各リンクがアップリンク送信を用いて複数のセルを設定するシナリオのためのさらなる詳細に関しては、ＬＴＥリリース１３およびそれ以後のリリースが、望まれる。ステップ１から３は、そのような場合に対応するように修正可能である。
【０１１３】
以上の説明では、各リンクは、アップリンク送信が設定されたただ１つのサービングセルを有する、と仮定されている。しかし、上述したステップ１から３は、各リンクがアップリンク送信が複数のセルを設定する場合にまで、拡張可能である。
【０１１４】
ステップ１：リンクｋのサブフレームｉに対して、無線デバイス１２は、送信電力限度を考慮に入れるサービングセルｃに対し、リンクｋの上のサブフレームｉの第１のスロットに従って、値
2020080536.tif 000208
を計算する。リンクｋの上のサブフレームｉの第１のスロットと重複する他方のリンクｋ’の上にアップリンク送信がある場合には、
2020080536.tif 000209
を計算するのであるが、ここで、
2020080536.tif 000210
は、無線デバイス１２の全体の設定された最大出力電力ＰＣＭＡＸの線形値を指し、
2020080536.tif 000211
は、サブフレームｉの第１のスロットと重複する他方のリンクｋ’におけるサービングセルｃ’によって用いられる電力レベルを指し、
2020080536.tif 000212
は、リンクｋは、無線デバイス１２がサブフレームｉの全体の継続時間においてアップリンク送信を有する単一のリンクであると仮定して（すなわち、リンクｋ’と重複しないことを仮定して）、リンクｋにおけるサービングセルｃに対して計算された線形電力値である。リンクｋのサブフレームｉの第１のスロットと重複する他方のリンク（リンクｋ’）の上に送信がない場合には、
2020080536.tif 000213
および
2020080536.tif 000214
が成立する。
【０１１５】
ステップ２：リンクｋのサブフレームｉに対し、無線デバイス１２は、送信電力限度を考慮に入れる値
2020080536.tif 000215
を、リンクｋの上のサブフレームｉの第２のスロットに従って、計算する。リンクｋの上のサブフレームｉの第２のスロットと重複する他方のリンクｋ’の上のアップリンク送信がある場合には、
2020080536.tif 000216
は、リンクｋのサブフレームｉがサブフレーム境界においてリンクｋ’の重複するサブフレームと位置合わせされているように、計算される。このステップでは、２つのリンクの間のアップリンクチャネルタイプの優先順位が考慮に入れられる。リンクｋの上のサブフレームｉの第２のスロットと重複する他方のリンクｋ’の上のアップリンク送信がない場合には、
2020080536.tif 000217
が成立する。
【０１１６】
ステップ３：リンクｋのサブフレームｉに対して無線デバイス１２が用いる最終的な全体の電力レベルは、
2020080536.tif 000218
である。
2020080536.tif 000219
である場合には、リンクｋのサブフレームｉにおけるサービングセルｃに対する最終的な電力レベルは、ステップ１で決定されたように、
2020080536.tif 000220
であり、そうではなくて、
2020080536.tif 000221
である場合には、リンクｋのサブフレームｉにおけるサービングセルｃに対する最終的な電力レベルは、ステップ２で決定されたように、
2020080536.tif 000222
である。
【０１１７】
以下は、上述したプロセスの一例である。ＳｅＮＢのサブフレームｉに対して：
・ステップ１．
2020080536.tif 000223
であり、ここで、
2020080536.tif 000224
は、ＭｅＮＢとの重複がないと仮定して、ＳｅＮＢリンクのサブフレームｉの計算された電力値であり；
・ステップ２．
2020080536.tif 000225
が、ＳｅＮＢのサブフレームｉがＭｅＮＢのサブフレームｉと位置合わせされていると仮定して、計算される。このステップでは、ＭｅＮＢリンクとＳｅＮＢリンクとの間のアップリンクチャネルタイプの優先順位が考慮される。
・ステップ３．ＳｅＮＢのサブフレームｉの最終的な電力は、
2020080536.tif 000226
である。ＭｅＮＢのサブフレームｉに対しては：
・ステップ１．
2020080536.tif 000227
であり、ここで、
2020080536.tif 000228
は、ＳｅＮＢとの重複がないと仮定して、ＭｅＮＢリンクのサブフレームｉの計算された電力値である。
・ステップ２．
2020080536.tif 000229
が、ＭｅＮＢのサブフレームｉがＳｅＮＢのサブフレーム（ｉ＋１）と位置合わせされていると仮定して、計算される。このステップでは、ＭｅＮＢリンクとＳｅＮＢリンクとの間のアップリンクチャネルタイプの優先順位が考慮される。
・ステップ３．ＭｅＮＢのサブフレームｉの最終的な電力は、
2020080536.tif 000230
である。
【０１１８】
図２５および図２６は、上述した動的な送信電力構成方式のいくつかの実施形態を図解するフローチャートである。より詳しくは、図２５は、本開示のいくつかの実施形態に従って、最大送信電力レベル
2020080536.tif 000231
を動的に決定し、決定された最大送信電力レベル
2020080536.tif 000232
に従いリンクｋの上にアップリンク送信を送信する無線デバイス１２の動作を図解するフローチャートである。図解されているように、無線デバイス１２は、リンクｋのサブフレームｉとリンクｋ’のサブフレームｉおよびｉ＋１との間の重複を考慮に入れ、たとえば、上述した動的プロセスのうちのいずれか１つを用いて、リンクｋのサブフレームｉに対する最大送信電力レベル
2020080536.tif 000233
を決定する（ステップ７００）。無線デバイス１２は、決定された最大送信電力レベル
2020080536.tif 000234
に従い、リンクｋのサブフレームｉの上に、アップリンク送信を送信する（ステップ７０２）。無線デバイス１２は、次に、サブフレームインデクスｉをインクリメントし（ステップ７０４）、次には、プロセスが、リンクｋの上の次のサブフレームに対して反復される。この同じプロセスが、リンクｋ’のサブフレームに対しても、同じ態様で用いられ得る。
【０１１９】
図２６は、上述した動的プロセスのステップ１から３のいくつかの実施形態による無線デバイス１２の動作を図解するフローチャートである。図解されているように、無線デバイス１２は、リンクｋのサブフレームｉとリンクｋ’のサブフレームｉとの間の重複を考慮して、リンクｋのサブフレームｉに対する第１の送信電力レベルを計算（または、他の態様で決定）する（ステップ８００）。無線デバイス１２は、また、リンクｋのサブフレームｉとリンクｋ’のサブフレームｉ＋１との間の重複を考慮して、リンクｋのサブフレームｉに対する第２の送信電力レベルを計算（または、他の態様で決定）する（ステップ８０２）。無線デバイス１２は、次に、リンクｋのサブフレームｉに対する最大送信電力レベル
2020080536.tif 000235
を、ステップ８００および８０２で計算された第１および第２の電力レベルの最小値として決定する（ステップ８０４）。このプロセスは、リンクｋの各サブフレームに対して反復される。同じ態様で、このプロセスは、リンクｋ’の各サブフレームに対する最大送信電力レベル
2020080536.tif 000236
を決定するのに用いられ得る。
【０１２０】
上述した動的な方式の実施形態では、無線デバイス１２は、一方のリンクのサブフレームｉと他方のリンクの両方の重複するサブフレームとの間の重複を、考慮に入れる。他の実施形態では、２つの重複しているサブフレームの（時間的に）最先のものとの重複だけが考慮される。他方の重複しているサブフレームは、考慮されない。
【０１２１】
これに関係して、図２７は、２つの重複するサブフレームのうちの先行するものだけが考慮されるいくつかの実施形態による無線デバイス１２の動作を図解するフローチャートである。より詳しくは、図２７は、本開示のいくつかの実施形態に従って、最大送信電力レベル
2020080536.tif 000237
を動的に決定し、決定された最大送信電力レベル
2020080536.tif 000238
に従いリンクｋの上にアップリンク送信を送信する無線デバイス１２の動作を図解するフローチャートである。図解されているように、無線デバイス１２は、リンクｋのサブフレームｉとリンクｋ’のサブフレームｉ（すなわち、リンクｋ’の２つの重複するサブフレームのうちの先行するもの）との間の重複だけを考慮に入れ、たとえば、上述した動的プロセスのうちのいずれか１つを用いて、リンクｋのサブフレームｉに対する最大送信電力レベル
2020080536.tif 000239
を決定する（ステップ９００）。無線デバイス１２は、決定された最大送信電力レベル
2020080536.tif 000240
に従い、リンクｋのサブフレームｉの上に、アップリンク送信を送信する（ステップ９０２）。無線デバイス１２は、次に、サブフレームインデクスｉをインクリメントし（ステップ９０４）、次には、プロセスが、リンクｋの上の次のサブフレームに対して反復される。この同じプロセスが、リンクｋ’のサブフレームに対しても、同じ態様で用いられ得る。
【０１２２】
ここで、議論を、本開示のいくつかの他の実施形態によるいくつかの他の動的なアップリンク電力制御方式に転換することにする。一般に、これらの実施形態では、ＰＵＣＣＨ電力制御とＰＵＳＣＨ電力制御とが提供される。ＰＵＳＣＨ送信電力レベルは、すべてのチャネルに対する両方のリンクにおけるすべての合成された送信電力が最大許容可能送信電力よりも大きい場合には、スケーリングされる。
【０１２３】
ＰＵＣＣＨ電力制御：ＭｅＮＢリンクまたはＳｅＮＢリンクのいずれかにおけるＰＵＣＣＨの送信電力は、いくつかの実施形態では、図２８Ａおよび図２８Ｂに図解され、以下で説明されるように、決定される。サービングセルｃがＭｅＮＢ１４の上のプライマリセル（すなわち、キャリアアグリゲーションを用いるときのプライマリコンポーネントキャリアのセル）であり（ステップ１０００）、ＳｅＮＢリンク（すなわち、リンクｋ’）の上のサブフレームｉ−１からの時間的な重複する送信が存在する（ステップ１００２）場合には、ＭｅＮＢリンク上のサブフレームｉに対するＰＰＵＣＣＨの送信電力（すなわち、ＰＵＣＣＨに対する送信電力）は、リンクｋ’の上の重複するサブフレームｉ−１における用いられた送信電力を考慮に入れて、決定される（ステップ１００４）。特に、いくつかの実施形態では、ＭｅＮＢリンク上のサブフレームｉに対するＰＵＣＣＨ送信電力は、
2020080536.tif 000241
に従って、決定される。この方程式では、最も外側の最小化関数における上側の項は、リンクｋ’（すなわち、ＳｅＮＢリンク）の重複するサブフレームｉ−１における用いられた送信電力を考慮するということである。この例では、用いられた送信電力は、ＳｅＮＢリンクに対して用いられたＰＵＳＣＨ送信電力とＰＵＣＣＨ送信電力とである。よって、上側の項（これ自体が最少関数である）は、（ａ）サブフレームｉに対する最大許容可能送信電力と、（ｂ）最大許容可能送信電力とＳｅＮＢリンクの重複するサブフレームｉ−１における既に用いられたすべての送信電力と（ＰＵＳＣＨおよびＰＵＣＣＨの両方）の差との最小値を、戻す。上の方程式における下側の項は、従来型のＰＵＣＣＨ送信電力である。よって、ＭｅＮＢリンク上のサブフレームｉに対するＰＵＣＣＨ送信電力は、（ａ）ＰＣＭＡＸ，ｃ（ｉ）と、（ｂ）ＳｅＮＢリンクの重複するサブフレームｉ−１において既に用いられたすべての送信電力を考慮に入れるときの、ＰＣＭＡＸ（ｉ）の用いられていない量と、（ｃ）ＳｅＮＢリンクの重複するいずれのサブフレームも考慮に入れない従来型のＰＵＣＣＨ送信電力との最小値である。
【０１２４】
ＭｅＮＢリンク上のサブフレームｉとＳｅＮＢリンク上のサブフレームｉ−１との間に重複がない場合には、無線デバイス１２は、ＭｅＮＢリンクのサブフレームｉに対するＰＵＣＣＨ送信電力を、通常のすなわち従来型の態様で、決定する（ステップ１００６）。ある特定の例では、無線デバイス１２は、ＭｅＮＢリンクのサブフレームｉに対するＰＵＣＣＨ送信電力を、
2020080536.tif 000242
として決定する。
【０１２５】
ステップ１０００に戻ると、サービングセルｃがＭｅＮＢ１４の上のプライマリセルではないがＳｅＮＢ１６の上のプライマリセルであり（ステップ１００８）、ＭｅＮＢリンク（リンクｋ）の上のサブフレームｉ−１との重複が存在する場合には（ステップ１０１０）、無線デバイス１２は、リンクｋの上の重複するサブフレームｉ−１における用いられた送信電力を考慮に入れて、ＳｅＮＢリンク上のサブフレームｉに対するＰＰＵＣＣＨ送信電力（すなわち、ＰＵＣＣＨに対する送信電力）を決定する（ステップ１０１２）。特に、いくつかの実施形態では、ＳｅＮＢリンク上のサブフレームｉに対するＰＵＣＣＨ送信電力は、
2020080536.tif 000243
に従って、決定される。この方程式では、最も外側の最小化関数における上側の項は、リンクｋ（すなわち、ＭｅＮＢリンク）の重複するサブフレームｉ−１における用いられた送信電力を考慮するということである。この例では、用いられた送信電力は、ＭｅＮＢリンクに対して用いられたＰＵＳＣＨ送信電力とＰＵＣＣＨ送信電力とである。よって、上側の項（これ自体が最少関数である）は、（ａ）サブフレームｉに対する最大許容可能送信電力と、（ｂ）最大許容可能送信電力とＭｅＮＢリンクの重複するサブフレームｉ−１における既に用いられたすべての送信電力と（ＰＵＳＣＨおよびＰＵＣＣＨの両方）の差との最小値を、戻す。上の方程式における下側の項は、従来型のＰＵＣＣＨ送信電力である。よって、ＳｅＮＢリンク上のサブフレームｉに対するＰＵＣＣＨ送信電力は、（ａ）ＰＣＭＡＸ，ｃ（ｉ）と、（ｂ）ＭｅＮＢリンクの重複するサブフレームｉ−１において既に用いられたすべての送信電力を考慮に入れるときの、ＰＣＭＡＸ（ｉ）の用いられていない量と、（ｃ）ＭｅＮＢリンクの重複するいずれのサブフレームも考慮に入れない従来型のＰＵＣＣＨ送信電力との最小値である。
【０１２６】
ＳｅＮＢリンク上のサブフレームｉとＭｅＮＢリンク上のサブフレームｉ−１との間に重複がない場合には、無線デバイス１２は、ＳｅＮＢリンクのサブフレームｉに対するＰＵＣＣＨ送信電力を、通常のすなわち従来型の態様で、決定する（ステップ１０１４）。ある特定の例では、無線デバイス１２は、ＳｅＮＢリンクのサブフレームｉに対するＰＵＣＣＨ送信電力を、
2020080536.tif 000244
として決定する。このプロセスは、ＭｅＮＢリンクおよびＳｅＮＢリンクの両方の各サブフレームに対して、無線デバイス１２によって反復され得る。
【０１２７】
ＰＵＳＣＨ電力制御：ＭｅＮＢリンクまたはＳｅＮＢリンクのいずれかの上のＰＵＳＣＨの送信電力は、いくつかの実施形態では、図２９に図解され以下で説明されるように、決定される。一般的に、図２９は、一方のリンクのＰＵＳＣＨ送信電力が、他方のリンク上の先行し重複するサブフレームにおける送信電力を考慮に入れて、スケーリングされるプロセスを図解している。（ＭｅＮＢリンクまたはＳｅＮＢリンクの）サブフレームｉに対する無線デバイス１２のすべての送信電力が最大許容可能送信電力
2020080536.tif 000245
を超えており（ステップ１１００）、ＳｅＮＢリンク上のサブフレームｉ−１からＭｅＮＢリンク上のサブフレームｉにおいて時間的に重複する送信がある場合には（ステップ１１０２）、無線デバイス１２は、サブフレームｉにおけるＭｅＮＢリンク上のサービングセルｃに対するＰＵＳＣＨ送信電力レベル
2020080536.tif 000246
をスケーリングする（ステップ１１０４）。いくつかの実施形態では、無線デバイス１２は、サブフレームｉにおけるＭｅＮＢリンク上のサービングセルｃに対するＰＵＳＣＨ送信電力レベル
2020080536.tif 000247
をスケーリングするのであるが、この場合に、スケーリングは、ｗ１（ｉ）をスケーリングファクタとして、
2020080536.tif 000248
という条件が満たされるように、行われる。
【０１２８】
逆に、ＭｅＮＢリンク上のサブフレームｉ−１からＳｅＮＢリンク上のサブフレームｉにおいて時間的に重複する送信がある場合には（ステップ１１０６）、無線デバイス１２は、サブフレームｉにおけるＳｅＮＢリンク上のサービングセルｃに対するＰＵＳＣＨ送信電力レベル
2020080536.tif 000249
をスケーリングする（ステップ１１０８）。いくつかの実施形態では、無線デバイス１２は、サブフレームｉにおけるＳｅＮＢリンク上のサービングセルｃに対するＰＵＳＣＨ送信電力レベル
2020080536.tif 000250
をスケーリングするのであるが、この場合に、スケーリングは、
2020080536.tif 000251
という条件が満たされるように、行われる。
【０１２９】
図２９のこのプロセスは、一方のリンクの後のサブフレームｉのＰＵＳＣＨ送信が、他方のリンクのサブフレーム（ｉ−１）の後で、最大で、残りの電力を利用することを図解している。このプロセスは、サブフレームｉにおいて、サブフレームｉのＰＵＳＣＨと並列的なＰＵＣＣＨがない場合に、それ自体として有用であり得る。その場合、重複だけには、対処の必要がある。
【０１３０】
無線デバイス１２は、ＰＵＳＣＨ送信電力を、他の態様で、決定することがあり得る。たとえば、図３０と以下の本文とにおいては、無線デバイス１２がＰＵＳＣＨ送信電力を決定するプロセスの一例が、説明されている。図３０に図解されているように、無線デバイス１２がＭｅＮＢリンクまたはＳｅＮＢリンクのいずれかの上でサービングセルｃに対するＰＵＳＣＨを送信する場合に（ステップ１２００）、サービングセルｃに対するサブフレームｉにおけるＰＵＳＣＨ送信のための無線デバイス１２に対するＰＵＳＣＨ送信電力レベルＰＰＵＳＣＨ，ｃ（ｉ）が、決定される（ステップ１２０２）。いくつかの実施形態では、サービングセルｃに対するサブフレームｉにおけるＰＵＳＣＨ送信のための無線デバイス１２に対するＰＵＳＣＨ送信電力レベルＰＰＵＳＣＨ，ｃ（ｉ）は、
2020080536.tif 000252
によって与えられるのであるが、ここで、
2020080536.tif 000253
は、連続的なＰＵＣＣＨ送信が存在しないものと仮定して、ゼロでもあり得る。別の場合には、ＭｅＮＢリンク（リンクｋ）の上のＰＵＳＣＨ送信は、ＭｅＮＢリンク上のＰＵＣＣＨ送信だけを考慮するのであり、たとえば、ＭｅＮＢリンク上のＰＵＳＣＨ送信は、ＭｅＮＢリンク上のＰＵＣＣＨ送信だけを考慮する。同じことが、ＳｅＮＢリンクについても正しい。
【０１３１】
図３０のプロセスと上述した方程式とは、一方のリンクのサブフレームｉと他方のリンクのサブフレーム（ｉ−１）との間の重複には対応しない。むしろ、同じリンクのサブフレームｉにおけるＰＵＣＣＨとＰＵＳＣＨとだけが、考慮される。上の方程式では、最小化関数の第１の項は、ＰＵＣＣＨがＰＵＳＣＨよりも優先順位が上であることを示す。ＰＵＳＣＨ送信電力は、最大でも、ＰＵＣＣＨ送信の後に残ったものである。第２の項は、計算された自然なまたは従来型のＰＵＳＣＨ送信電力レベルであり、これは、ＰＵＳＣＨ自体の必要性に応じて計算される。これらの項の最小値を取ることにより、実際には、自然なＰＵＳＣＨ電力が低い場合には、自然なＰＵＳＣＨ電力が用いられる。逆に、自然なＰＵＳＣＨ電力が高い場合には、ＰＵＳＣＨ送信電力は、電力をＰＵＣＣＨ送信に配分した後に残っている電力量に上限が定められる。図３０のプロセスは、他方のリンクの先行するサブフレーム（ｉ−１）との重複が存在しないときに、特に有益である。
【０１３２】
いくつかの実施形態では、動的構成のために、すべてのキャリアおよびリンクに及ぶ電力スケーリングが、提供される。図３１に図解されているように、いくつかの実施形態では、無線デバイス１２のすべての送信電力が
2020080536.tif 000254
を超えており、一方のリンク上のサブフレームｉ−１から他方のリンク上のサブフレームｉにおいて時間的に重複する送信がある場合には（ステップ１３００）、無線デバイス１２は、他方のリンクのサブフレームｉに対するＰＵＳＣＨ送信電力レベルをスケーリングする（ステップ１３０２）。さらに詳しくは、いくつかの実施形態では、無線デバイス１２のすべての送信電力が、
2020080536.tif 000255
を超えており、ＳｅＮＢリンク上のサブフレームｉ−１からＭｅＮＢリンク上のサブフレームｉにおいて時間的に重複する送信がある場合には、無線デバイス１２は、ＭｅＮＢリンク（リンクｋ）の上で、サブフレームｉにおいて、サービングセルｃに対する
2020080536.tif 000256
をスケーリングするのであるが、このスケーリングは、
2020080536.tif 000257
という条件が満たされるように、行われる。逆に、ＭｅＮＢリンク上のサブフレームｉ−１からＳｅＮＢリンク上のサブフレームｉにおいて時間的に重複する送信がある場合には、無線デバイス１２は、ＭｅＮＢリンク（リンクｋ）の上で、サブフレームｉにおいて、サービングセルｃに対して、
2020080536.tif 000258
をスケーリングするのであるが、この場合に、スケーリングは、
2020080536.tif 000259
という条件が満たされるように、行われる。
【０１３３】
このスケーリングは、以上で述べた２つの考慮、すなわち、（ａ）一方のリンク上のサブフレームｉと他方のリンク上のサブフレーム（ｉ−１）との間の重複と、（ｂ）サブフレームｉにおけるＰＵＣＣＨの必要性と、を組み合わせている。これらのスケーリングの実施形態では、電力が不十分である場合には、ＰＵＳＣＨがより低い優先順位を有し、（ａ）および（ｂ）の両方が考慮に入れられるように、ＰＵＳＣＨ送信電力レベルがスケーリングされる。また、スケーリングを例証している上述した２つの方程式においては、ＰＵＣＣＨの電力レベルは、先行するＰＵＣＣＨの電力レベルの計算に由来する。したがって、ＰＵＣＣＨ電力の計算において、ＵＥが、ＰＵＣＣＨ電力の計算の後に、もはや電力が残っていないと判断する場合には、ＰＵＳＣＨのウェイトｗ（ｉ）がゼロに設定されることがあり得る。この場合には、ＰＵＳＣＨは電力を得ることはなく、実質的に脱落させられる。
【０１３４】
スケーリング方程式は、また、以下の態様でも、説明され得る。上述した２つの方程式の右辺側は、他方のリンクのサブフレームｉ−１の送信電力の必要とリンクのサブフレームｉのＰＵＣＣＨ送信電力の必要とを最大許容可能送信電力から減算した後に残る送信電力の計算である。方程式の左辺側では、ＰＵＳＣＨの自然な電力レベル（たとえば、上述したＰＵＳＣＨ電力制御の説明において、１０ｌｏｇ１０（）という項として計算されたもの）が、方程式の右辺側で計算された値を超えないようにウェイトｗ（ｉ）を適用することによって、スケーリングによってスケールダウンされている。
【０１３５】
上述したスケーリングの実施形態は、リンク当たりの設定可能な最大送信電力値と組み合わせることも可能であり、たとえば、他方のリンク上で何かが送信されるか送信されないかとは独立に、電力が、この電力を超えることは不可能である。あるいは、スケーリングの実施形態が、他方のリンク上で何かが送信されるか送信されないかを考慮することにより、ＵＥが２つのリンクによって共有される最大送信電力を超え得る場合にだけ、最大電力の限度が適用される。
【０１３６】
上述した実施形態では、任意の与えられた場合に対して、
2020080536.tif 000260
が成立することが仮定されていた。あるいは、最大送信電力レベル
2020080536.tif 000261
および
2020080536.tif 000262
は、最大の電力の和が
2020080536.tif 000263
と等しくなければならないようには、規定されていない。たとえば、無線デバイス１２は、他方の（１つまたは複数の）リンクが存在しないことを仮定して、最初に、ＭｅＮＢリンクおよびＳｅＮＢリンクに対する送信電力を別々に決定することができる。次に、無線デバイス１２は、先のステップで決定された２つ（または、それより多く）のリンクに対する全体の電力が最大の許容される電力
2020080536.tif 000264
を超える場合には、２つ（または、それより多く）の同時リンク上で電力スケーリングを実行し得る。
【０１３７】
図３２は、そのようなスケーリング方式を用いる手順のある実施形態を図解している。図解されているように、無線デバイス１２は、最大の（許容可能な）送信電力レベル
2020080536.tif 000265
および
2020080536.tif 000266
を、別々に設定する（ステップ１４００）。この実施形態では、設定された最大送信電力レベル
2020080536.tif 000267
および
2020080536.tif 000268
の和は、無線デバイス１２に対する最大許容可能送信電力レベル
2020080536.tif 000269
を超える可能性がある。しかし、ある特別な場合には、
2020080536.tif 000270
および
2020080536.tif 000271
の両方が、
2020080536.tif 000272
に等しい。
【０１３８】
ＭｅＮＢリンク上のＰＵＣＣＨとＳｅＮＢリンク上のＰＵＣＣＨとの間の相対的な優先順位が、
2020080536.tif 000273
および
2020080536.tif 000274
の相対値によって設定され得るということに注意すべきである。ある例では、
2020080536.tif 000275
および
2020080536.tif 000276
が成立する。この場合には、無線デバイス１２は、ＳｅＮＢリンクによって制限されることなく、ＭｅＮＢリンク上の（１つまたは複数の）アップリンクチャネルの電力を決定し（ステップ１４０２において後述されるように）、ＭｅＮＢリンクによって制限されることなく、ＳｅＮＢリンク上の（１つまたは複数の）アップリンクチャネルの電力を決定する（ステップ１４０２において後述されるように）。無線デバイス１２は、次に、
2020080536.tif 000277
がスケーリングを伴わない和よりも小さい場合には、ステップ１４０４において、ＭｅＮＢリンクおよびＳｅＮＢリンク上のアップリンクチャネルの電力を、等しくスケーリングする（後述される）のである。
【０１３９】
別の例では、
2020080536.tif 000278
および
2020080536.tif 000279
が成立する。この場合には、後述されるステップ１４０２において、無線デバイス１２が、ＳｅＮＢリンクによって制限されることなく、ＭｅＮＢリンク上のアップリンクチャネルに対する送信電力を決定するが、他方で、無線デバイス１２は、ＳｅＮＢチャネルにおける最大の全体電力が０．５×
2020080536.tif 000280
を超えないという制限付きで、ＳｅＮＢリンク上のアップリンクチャネルに対する送信電力を決定する。これは、等しいスケーリングがステップ１４０４において適用される場合（すなわち、
2020080536.tif 000281
）には、ＭｅＮＢリンクチャネルに有利になるように、電力配分にバイアスを与える。
【０１４０】
最大送信電力レベル
2020080536.tif 000282
および
2020080536.tif 000283
を設定した後で、無線デバイス１２は、ＭｅＮＢリンクおよびＳｅＮＢリンク上で送信されるアップリンクチャネルに対する送信電力レベルを計算する、または、それ以外の態様で決定する（ステップ１４０２）。いくつかの実施形態では、各リンクに対して、対応するアップリンクチャネルに対する送信電力の計算は、電力スケーリングだけでなくチャネル優先順位決定を含むＬＴＥリリース１１のキャリアアグリゲーション（ＣＡ）のための原理を再利用できる。特に、上で論じたように、いくつかの実施形態では、ＭｅＮＢリンク上のＰＵＣＣＨとＳｅＮＢリンク上のＰＵＣＣＨとの間の相対的な優先順位が、
2020080536.tif 000284
および
2020080536.tif 000285
の相対値によって設定され得る。この相対的な優先順位は、上で論じたように、アップリンクチャネルに対する送信電力を計算するときに、考慮に入れられ得る。
【０１４１】
無線デバイス１２は、全体の送信電力が最大許容可能送信電力レベル
2020080536.tif 000286
を超えないように、両方のリンクに対するすべての（アクティブな）チャネルの上の送信電力レベルのスケーリングを実行する（ステップ１４０４）。いくつかの実施形態では、無線デバイス１２は、全体の電力が
2020080536.tif 000287
を超えないように、
2020080536.tif 000288
に従って、ＭｅＮＢリンクおよびＳｅＮＢリンクの両方に対するすべてのアクティブなチャネルの上でスケーリングを実行するのであるが、
2020080536.tif 000289
および
2020080536.tif 000290
は、それぞれが、ＭｅＮＢリンクおよびＳｅＮＢリンクに対するスケーリングファクタであり、
2020080536.tif 000291
が成立する。ＭｅＮＢリンクおよびＳｅＮＢリンクに対する電力スケーリングは、同じ場合または異なる場合のいずれかがあり得る。いくつかの実施形態では、ＭｅＮＢリンクおよびＳｅＮＢリンクに対するスケーリングファクタの比率が、無線デバイス１２にシグナリングされる。他の実施形態では、スケーリングファクタは同じであり、無線デバイス１２によって決定される。最後に、無線デバイス１２は、スケーリングされた送信電力レベルに従って、ＭｅＮＢリンクおよびＳｅＮＢリンクの両方に対してすべてのチャネルを送信する（ステップ１４０６）。
【０１４２】
図３２のプロセスは、静的にまたは準静的に規定された
2020080536.tif 000292
および
2020080536.tif 000293
のいずれかと組み合わせることが可能である。ＭｅＮＢリンクとＳｅＮＢリンクとの間の非同期のサブフレームの処理は、両方のスロットにおける重複を考慮する、または、第１のスロットにおける重複だけを考慮することによって、行うことが可能である。
【０１４３】
ここまで説明されてきた実施形態は、無線デバイス１２がデュアルコネクティビティを用いて動作しているときの静的、準静的、および動的な電力レベル構成に関するものであった。他の実施形態では、本開示のいくつかの実施形態に従って、最大送信電力レベル
2020080536.tif 000294
および
2020080536.tif 000295
が、リンクにまたはリンク上で送信されるアップリンクチャネルに割り当てられた優先順位に基づいて、割り当てられる。この点では、いくつかの実施形態において、以下のアップリンク送信の優先順位ｐが、ＭｅＮＢリンクおよびＳｅＮＢリンク上で送信され得る異なるタイプのアップリンクチャネルの間で割り当てられる。
・物理ランダムアクセスチャネル（ＰＲＡＣＨ）（ｐ＝１）
・アップリンク制御情報（ＵＣＩ）を備えたＰＵＣＣＨ（ｐ＝２）
・ＵＣＩを備えたＰＵＳＣＨ（ｐ＝３）
・ＵＣＩを有さないＰＵＳＣＨ（ｐ＝４）
・ＳＲＳ（ｐ＝５）
これらの優先順位に基づいて、最大送信電力レベル
2020080536.tif 000296
および
2020080536.tif 000297
を、たとえば、以下のように割り当てることが可能である。
・２つのリンク上の送信が同じ優先順位レベルｐを有する場合には、電力を等しく共有する；
・より高い優先順位レベルｐを備えたリンクに十分な電力を与え、次いで、次の優先順位の送信に残りを与える；
・それがより高い優先順位チャネルと重複する場合には、ＳＲＳを脱落させる。ただし、ＳＲＳは、すべての時間で脱落させられ得るのではない。たとえば、要求されるＳＲＳ電力がリンクの保証された電力レベルよりも低い場合には、ＳＲＳが脱落させられることはあり得ない。
【０１４４】
ＵＣＩを備えた２つの送信に対しては、優先順位付けが、ＵＣＩエレメントをさらに分離し得る。たとえば、ハイブリッド自動再送要求（ＨＡＲＱ）、肯定応答／否定応答（ＡＣＫ／ＮＡＣＫ）、またはＨＡＲＱ−ＡＣＫは、他のＵＣＩエレメント（チャネル状態情報（ＣＳＩ））よりも高い優先順位で処理され得る。この場合には（高い方から低い方へ）、修正された優先順位は、
・ＰＲＡＣＨ（ｐ＝１）
・ＨＡＲＱ−ＡＣＫを有するＰＵＣＣＨ（ｐ＝２）
・ＨＡＲＱ−ＡＣＫを有するＰＵＳＣＨ（ｐ＝３）
・ＣＳＩだけを有するＰＵＳＣＨ（すなわち、ＨＡＲＱ−ＡＣＫを有さない）（ｐ＝４）
・ＣＳＩだけを有するＰＵＣＣＨ（すなわち、ＨＡＲＱ−ＡＣＫを有さない）（ｐ＝５）
・ＳＲＳ（ｐ＝６）
・ＵＣＩを有するＰＵＳＣＨは、ｅＮＢによってトリガされた非周期的なＣＳＩ報告を運ぶ
として規定される。
【０１４５】
図３３は、本開示のいくつかの実施形態に従って、最大送信電力レベル
2020080536.tif 000298
および
2020080536.tif 000299
を割り当てるためにアップリンクチャネルの優先順位決定を用いるある実施形態を図解しているフローチャートである。図解されているように、無線デバイス１２は、リンクに対する最大送信電力レベル
2020080536.tif 000300
および
2020080536.tif 000301
を、それらのリンクと関連する優先順位に基づき、割り当てる（ステップ１５００）。上で論じられたように、リンクと関連する優先順位は、少なくともいくつかの実施形態では、リンク上で送信されるアップリンクチャネルに割り当てられたまたはそれ以外の態様で関連する優先順位に基づいているが、そのようなアップリンクチャネルは、本明細書では、リンクに対するアクティブなアップリンクチャネルと称される。優先順位は、チャネルタイプ、または、チャネルの情報もしくはコンテンツに基づいて、アップリンクチャネルに割り当てられ得る。無線デバイス１２は、アクティブなアップリンクチャネルを含むアップリンク送信を、リンク上で、割り当てられた最大送信電力レベル
2020080536.tif 000302
および
2020080536.tif 000303
に従って、送信する（ステップ１５０２）。
【０１４６】
図３４は、本開示のいくつかの実施形態による基地局１８のブロック図である。図解されているように、基地局１８は、１つまたは複数のプロセッサ２２（たとえば、（１つまたは複数の）中央処理装置（ＣＰＵ）、特定用途向けの（１つまたは複数の）集積回路（ＡＳＩＣ）および／または（１つまたは複数の）フィールドプログラマブルゲートアレイ（ＦＰＧＡ））と、メモリ２４と、ネットワークインターフェース２６とを含むベースバンドユニット２０と、１つまたは複数の送信機３０と１つまたは複数のアンテナ３４に結合された１つまたは複数の受信機３２とを含む１つまたは複数の無線ユニット２８とを含む。いくつかの実施形態では、本明細書に記載されている基地局１８の機能は、メモリ２４に記憶され（１つまたは複数の）プロセッサ２２によって実行されるソフトウェアとして実装されていることにより、基地局１８は、本明細書に記載された実施形態のいずれかに従って動作する。
【０１４７】
いくつかの実施形態では、少なくとも１つのプロセッサによって実行されると、少なくとも１つプロセッサに、本明細書に記載されている実施形態のいずれかに従って基地局１８の機能を実行させる命令を含むコンピュータプログラムが提供される。ある実施形態では、上述したコンピュータプログラム製品を含むキャリアが提供される。このキャリアは、電気信号、光信号、無線信号、またはコンピュータ可読記憶媒体（たとえば、メモリ２４などの非一時的コンピュータ可読媒体）のうちの１つである。
【０１４８】
図３５は、本開示のいくつかの実施形態による無線デバイス３６のブロック図である。図解されているように、無線デバイス３６は、１つまたは複数のプロセッサ３８（たとえば、（１つまたは複数の）ＣＰＵ、（１つまたは複数の）ＡＳＩＣ、および／または（１つまたは複数の）ＦＰＧＡ）と、メモリ４０と、１つまたは複数の送信機４４と１つまたは複数のアンテナ４８に結合された１つまたは複数の受信機４６とを含む１つまたは複数のトランシーバ４２と、を含む。いくつかの実施形態では、本明細書に記載されている無線デバイス３６の機能は、メモリ４０に記憶され（１つまたは複数の）プロセッサ３８によって実行されるソフトウェアとして実装されることにより、無線デバイス３６は、本明細書に記載された実施形態のいずれかに従って動作する。
【０１４９】
いくつかの実施形態では、少なくとも１つのプロセッサによって実行されると、少なくとも１つプロセッサに、本明細書に記載されている実施形態のいずれかに従って無線デバイス１２の機能を実行させる命令を含むコンピュータプログラムが提供される。ある実施形態では、上述したコンピュータプログラム製品を含むキャリアが提供される。このキャリアは、電気信号、光信号、無線信号またはコンピュータ可読記憶媒体（たとえば、メモリ４０などの非一時的コンピュータ可読媒体）のうちの１つである。
【０１５０】
図３６は、本開示のいくつかの他の実施形態による無線デバイス３６を図解しているブロック図である。図解されているように、無線デバイス３６は、電力レベル決定モジュール５０と送信モジュール５２とを含み、それぞれのモジュールは、ソフトウェアとして実装されている。電力レベル決定モジュール５０は、本明細書に記載されている実施形態のいずれかに従って、
2020080536.tif 000304
および
2020080536.tif 000305
を決定するように動作する。送信モジュール５２は、
2020080536.tif 000306
および
2020080536.tif 000307
に対して決定された値に従って、リンクｋおよびｋ’の上を（図３６には示されていないが、無線デバイス３６の関連する（１つまたは複数の）送信機を経由して）送信するように動作する。
【０１５１】
ある例示的な実施形態では、第１のサブフレームに対する第１のリンクのための電力を計算するために、ＵＥにおいて、ある方法が実行される。この方法は、第１のサブフレームの第１の時間スロットと重複する第２のリンク上でアップリンク送信があるかどうかを判断することと、第２のリンク上でアップリンク送信がある場合には、電力
2020080536.tif 000308
を計算することと、を含むが、ここで、
2020080536.tif 000309
は、ＵＥのすべての設定された最大出力電力レベルＰＣＭＡＸを指し、
2020080536.tif 000310
は、サブフレームｉの第１のスロットと重複する他方のリンクｋ’によって用いられる電力レベルを指し、
2020080536.tif 000311
は、リンクｋが、サブフレームｉの全体の継続時間においてＵＥがアップリンク送信を有する単一のリンクであると仮定する場合（すなわち、リンクｋ’と重複しないと仮定して）の、リンクｋに対して計算された線形電力値である。この方法は、さらに、第１のサブフレームの第２のスロットと重複する第２のリンク上でアップリンク送信があるかどうかを判断することを含む。そうである場合には、この方法は、あたかもリンクｋのサブフレームｉがリンクｋ’の重複サブフレームとサブフレーム境界において位置合わせされているように、第１のサブフレームの次にある第２のサブフレームに対して、電力
2020080536.tif 000312
を計算することを含む。
【０１５２】
以下の頭字語が、本開示を通じて用いられている。
・  μｓ          マイクロ秒
・  ＡＣＫ        肯定応答（Ａｃｋｎｏｗｌｅｄｇｅｍｅｎｔ）
・  ＡＬ          アグリゲーションレベル（Ａｇｇｒｅｇａｔｉｏｎ  Ｌｅｖｅｌ）
・  ＡＳＩＣ      特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ）
・  ＣＡ          キャリアアグリゲーション（Ｃａｒｒｉｅｒ  Ａｇｇｒｅｇａｔｉｏｎ）
・  ＣＣ          コンポーネントキャリア（Ｃｏｍｐｏｎｅｎｔ  Ｃａｒｒｉｅｒ）
・  ＣＣＥ        制御チャネルエレメント（Ｃｏｎｔｒｏｌ  Ｃｈａｎｎｅｌ  Ｅｌｅｍｅｎｔ）
・  ＣＦＩ        制御フォーマットインジケータ（Ｃｏｎｔｒｏｌ  Ｆｏｒｍａｔ  Ｉｎｄｉｃａｔｏｒ）
・  ＣＩＦ        キャリアインジケータフィールド（Ｃａｒｒｉｅｒ  Ｉｎｄｉｃａｔｏｒ  Ｆｉｅｌｄ）
・  ＣＰＵ        中央処理装置（Ｃｅｎｔｒａｌ  Ｐｒｏｃｅｓｓｉｎｇ  Ｕｎｉｔ）
・  ＣＲＣ        巡回冗長検査（Ｃｙｃｌｉｃ  Ｒｅｄｕｎｄａｎｃｙ  Ｃｈｅｃｋ）
・  Ｃ−ＲＮＴＩ  セル無線ネットワーク一時識別子（Ｃｅｌｌ  Ｒａｄｉｏ  Ｎｅｔｗｏｒｋ  Ｔｅｍｐｏｒａｒｙ  Ｉｄｅｎｔｉｆｉｅｒ）
・  ＣＲＳ        共通参照シンボル（Ｃｏｍｍｏｎ  Ｒｅｆｅｒｅｎｃｅ  Ｓｙｍｂｏｌ）
・  ＣＳＩ        チャネル状態情報（Ｃｈａｎｎｅｌ  Ｓｔａｔｅ  Ｉｎｆｏｒｍａｔｉｏｎ）
・  ｄＢ          デシベル（Ｄｅｃｉｂｅｌ）
・  ｄＢｍ        ミリデシベル（Ｍｉｌｌｉ−Ｄｅｃｉｂｅｌｓ）
・  ＤＣＩ        ダウンリンク制御情報（Ｄｏｗｎｌｉｎｋ  Ｃｏｎｔｒｏｌ  Ｉｎｆｏｒｍａｔｉｏｎ）
・  ＤＦＴ        離散フーリエ変換（Ｄｉｓｃｒｅｔｅ  Ｆｏｕｒｉｅｒ  Ｔｒａｎｓｆｏｒｍ）
・  ＤＬ  ＰＣＣ  ダウンリンクプライマリコンポーネントキャリア（Ｄｏｗｎｌｉｎｋ  Ｐｒｉｍａｒｙ  Ｃｏｍｐｏｎｅｎｔ  Ｃａｒｒｉｅｒ）
・  ＤＴＸ        不連続送信（Ｄｉｓｃｏｎｔｉｎｕｏｕｓ  Ｔｒａｎｓｍｉｓｓｉｏｎ）
・  ｅＮＢ        エンハンストまたはエボルブドノードＢ（Ｅｎｈａｎｃｅｄ  ｏｒ  Ｅｖｏｌｖｅｄ  Ｎｏｄｅ  Ｂ）
・  ｅＰＤＣＣＨ  エンハンスト物理ダウンリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）
・  ＦＤＤ        周波数分割複信（Ｆｒｅｑｕｅｎｃｙ  Ｄｉｖｉｓｉｏｎ  Ｄｕｐｌｅｘ）
・  ＦＰＧＡ      フィールドプログラマブルゲートアレイ（Ｆｉｅｌｄ  Ｐｒｏｇｒａｍｍａｂｌｅ  Ｇａｔｅ  Ａｒｒａｙ）
・  ＧＮＳＳ      ブローバルナビゲーション衛星システム（Ｇｌｏｂａｌ  Ｎａｖｉｇａｔｉｏｎ  Ｓａｔｅｌｌｉｔｅ  Ｓｙｓｔｅｍ）
・  ＨＡＲＱ      ハイブリッド自動再送リクエスト（Ｈｙｂｒｉｄ  Ａｕｔｏｍａｔｉｃ  Ｒｅｐｅａｔ  Ｒｅｑｕｅｓｔ）
・    ＬＴＥ    Ｌｏｎｇ  Ｔｅｒｍ  Ｅｖｏｌｕｔｉｏｎ
・  ＭＡＣ        媒体アクセス制御（Ｍｅｄｉｕｍ  Ａｃｃｅｓｓ  Ｃｏｎｔｒｏｌ）
・  ＭＣＧ        マスタセルグループ（Ｍａｓｔｅｒ  Ｃｅｌｌ  Ｇｒｏｕｐ）
・  ＭｅＮＢ      マスタエンハンストまたはエボルブドノードＢ（Ｍａｓｔｅｒ  Ｅｎｈａｎｃｅｄ  ｏｒ  Ｅｖｏｌｖｅｄ  Ｎｏｄｅ  Ｂ）
・  ＭＨｚ        メガヘルツ（Ｍｅｇａｈｅｒｔｚ）
・  ｍｓ          ミリ秒（Ｍｉｌｌｉｓｅｃｏｎｄ）
・  ＮＡＣＫ      否定応答（Ｎｏｎ−Ａｃｋｎｏｗｌｅｄｇｅｍｅｎｔ）
・  ＯＦＤＭ      直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）
・  ＰＣｅｌｌ    プライマリセル（Ｐｒｉｍａｒｙ  Ｃｅｌｌ）
・  ＰＤＣＣＨ    物理ダウンリンク制御チャネル（Ｐｈｙｓｉｃａｌ  Ｄｏｗｎｌｉｎｋ  Ｃｏｎｔｒｏｌ  Ｃｈａｎｎｅｌ）
・  ＰＤＳＣＨ    物理ダウンリンク共有チャネル（Ｐｈｙｓｉｃａｌ  Ｄｏｗｎｌｉｎｋ  Ｓｈａｒｅｄ  Ｃｈａｎｎｅｌ）
・  ＰＲＡＣＨ    物理ランダムアクセスチャネル（Ｐｈｙｓｉｃａｌ  Ｒａｎｄｏｍ  Ａｃｃｅｓｓ  Ｃｈａｎｎｅｌ）
・  ＰＲＢ        物理リソースブロック（Ｐｈｙｓｉｃａｌ  Ｒｅｓｏｕｒｃｅ  Ｂｌｏｃｋ）
・  ＰＵＣＣＨ    物理アップリンク制御チャネル（Ｐｈｙｓｉｃａｌ  Ｕｐｌｉｎｋ  Ｃｏｎｔｒｏｌ  Ｃｈａｎｎｅｌ）
・  ＰＵＳＣＨ    物理アップリンク共有チャネル（Ｐｈｙｓｉｃａｌ  Ｕｐｌｉｎｋ  Ｓｈａｒｅｄ  Ｃｈａｎｎｅｌ）
・  ＱＣＩ        サービス品質クラス識別子（Ｑｕａｌｉｔｙ  ｏｆ  Ｓｅｒｖｉｃｅ  Ｃｌａｓｓ  Ｉｎｄｉｃａｔｏｒ）
・  ＱＰＳＫ      直交位相シフトキーイング（Ｑｕａｄｒａｔｕｒｅ  Ｐｈａｓｅ  Ｓｈｉｆｔ  Ｋｅｙｉｎｇ）
・  ＲＢ          リソースブロック（Ｒｅｓｏｕｒｃｅ  Ｂｌｏｃｋ）
・  ＲＥＧ        リソースエレメントグループ（Ｒｅｓｏｕｒｃｅ  Ｅｌｅｍｅｎｔ  Ｇｒｏｕｐ）
・  ＲＬＣ        無線リンク制御（Ｒａｄｉｏ  Ｌｉｎｋ  Ｃｏｎｔｒｏｌ）
・  ＲＮＴＩ      無線ネットワーク一時識別子（Ｒａｄｉｏ  Ｎｅｔｗｏｒｋ  Ｔｅｍｐｏｒａｒｙ  Ｉｄｅｎｔｉｆｉｅｒ）
・  ＲＲＣ        無線リソース制御（Ｒａｄｉｏ  Ｒｅｓｏｕｒｃｅ  Ｃｏｎｔｒｏｌ）
・  ＲＳＲＰ      参照信号受信電力（Ｒｅｆｅｒｅｎｃｅ  Ｓｉｇｎａｌ  Ｒｅｃｅｉｖｅｄ  Ｐｏｗｅｒ）
・  ＳＣＣ        セカンダリコンポーネントキャリア（Ｓｅｃｏｎｄａｒｙ  Ｃｏｍｐｏｎｅｎｔ  Ｃａｒｒｉｅｒ）
・  ＳＣＧ        セカンダリセルグループ（Ｓｅｃｏｎｄａｒｙ  Ｃｅｌｌ  Ｇｒｏｕｐ）
・  ＳｅＮＢ      セカンダリエンハンストまたはエボルブドノードＢ（Ｓｅｃｏｎｄａｒｙ  Ｅｎｈａｎｃｅｄ  ｏｒ  Ｅｖｏｌｖｅｄ  Ｎｏｄｅ  Ｂ）
・  ＳＲＳ        サウンディング参照信号（Ｓｏｕｎｄｉｎｇ  Ｒｅｆｅｒｅｎｃｅ  Ｓｉｇｎａｌ）
・  ＴＡＧ        タイミングアドバンスグループ（Ｔｉｍｉｎｇ  Ａｄｖａｎｃｅ  Ｇｒｏｕｐ）
・  ＴＤＤ        時分割複信（Ｔｉｍｅ  Ｄｉｖｉｓｉｏｎ  Ｄｕｐｌｅｘ）
・  ＴＰ          送信点（Ｔｒａｎｓｍｉｓｓｉｏｎ  Ｐｏｉｎｔ）
・  ＴＰＣ        送信電力制御（Ｔｒａｎｓｍｉｔ  Ｐｏｗｅｒ  Ｃｏｎｔｒｏｌ）
・  ＴＳ          技術仕様書（Ｔｅｃｈｎｉｃａｌ  Ｓｐｅｃｉｆｉｃａｔｉｏｎ）
・  ＵＣＩ        アップリンク制御情報（Ｕｐｌｉｎｋ  Ｃｏｎｔｒｏｌ  Ｉｎｆｏｒｍａｔｉｏｎ）
・  ＵＥ          ユーザ機器（Ｕｓｅｒ  Ｅｑｕｉｐｍｅｎｔ）
・  ＵＬ          アップリンク（Ｕｐｌｉｎｋ）
・  ＵＬ  ＰＣＣ  アップリンクプライマリコンポーネントキャリア（Ｕｐｌｉｎｋ  Ｐｒｉｍａｒｙ  Ｃｏｍｐｏｎｅｎｔ  Ｃａｒｒｉｅｒ）
・  ＶＲＢ        仮想リソースブロック（Ｖｉｒｔｕａｌ  Ｒｅｓｏｕｒｃｅ  Ｂｌｏｃｋ）
【０１５３】
当業者は、本開示の実施形態への改善および修正を認識するであろう。すべてのそれらの改善および修正は、本明細書に開示されている概念と以下の特許請求の範囲との範囲に含まれると考えられる。
【図１】
2020080536.tif 000313
【図２】
2020080536.tif 000314
【図３】
2020080536.tif 000315
【図４】
2020080536.tif 000316
【図５】
2020080536.tif 000317
【図６】
2020080536.tif 000318
【図７】
2020080536.tif 000319
【図８】
2020080536.tif 000320
【図９】
2020080536.tif 000321
【図１０】
2020080536.tif 000322
【図１１】
2020080536.tif 000323
【図１２】
2020080536.tif 000324
【図１３】
2020080536.tif 000325
【図１４】
2020080536.tif 000326
【図１５】
2020080536.tif 000327
【図１６】
2020080536.tif 000328
【図１７】
2020080536.tif 000329
【図１８】
2020080536.tif 000330
【図１９】
2020080536.tif 000331
【図２０】
2020080536.tif 000332
【図２１】
2020080536.tif 000333
【図２２】
2020080536.tif 000334
【図２３】
2020080536.tif 000335
【図２４】
2020080536.tif 000336
【図２５】
2020080536.tif 000337
【図２６】
2020080536.tif 000338
【図２７】
2020080536.tif 000339
【図２８Ａ】
2020080536.tif 000340
【図２８Ｂ】
2020080536.tif 000341
【図２９】
2020080536.tif 000342
【図３０】
2020080536.tif 000343
【図３１】
2020080536.tif 000344
【図３２】
2020080536.tif 000345
【図３３】
2020080536.tif 000346
【図３４】
2020080536.tif 000347
【図３５】
2020080536.tif 000348
【図３６】
2020080536.tif 000349
【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
無線通信ネットワーク（１０）における第１の無線ネットワークノード（１４）への第１のリンクと、前記無線通信ネットワーク（１０）における第２の無線ネットワークノード（１６）への第２のリンクとを有する無線デバイス（１２）を動作させる方法であって、
前記第１のリンクに対する設定された最大送信電力レベルを、無線リソース制御（ＲＲＣ）シグナリング経由で受信することと、
前記無線デバイス（１２）から前記第２の無線ネットワークノード（１６）への前記第２のリンクに対する最大送信電力レベルを決定することであって、前記第２のリンクに対する最大送信電力レベルが、最大許容可能送信電力レベルと、前記第１のリンクのサブフレーム（ｉ−１）及びサブフレームｉのうちの少なくとも一方の送信電力との関数であり、前記第１のリンクのサブフレーム（ｉ−１）及びサブフレームｉのうちの少なくとも一方の送信電力は、前記第１のリンクに対する設定された最大送信電力レベルにより制限されている、決定する（１００、４０４、７００、９００）ことと、
前記第２のリンク上で、サブフレームｊにおいて、前記第２のリンクに対する前記最大送信電力レベルを超えないように送信をする（１０２、４０６、７０２、９０２）ことと、
を含み、
前記第１のリンク及び前記第２リンクは、前記第１のリンクのサブフレーム（ｉ−１）及びサブフレームｉの時間スロットが前記第２のリンクのサブフレームｊの時間スロットと部分的に重複する、同時的なデュアルコネクティビティ接続であり、
前記第１のリンク及び前記第２リンクの各々は、複数のアグリゲートされたキャリアと、制御チャネル又はランダムアクセスチャネルを含む複数のアップリンクチャネルタイプとをサポートするように設定されており、
前記無線デバイス（１２）から前記第１の無線ネットワークノード（１４）への前記第１のリンクに対する最大送信電力レベルと前記第２のリンクに対する前記最大送信電力レベルとの和が前記最大許容可能送信電力レベル以下である、方法。
【請求項２】
前記第２のリンクに対する前記最大送信電力レベルが、前記最大許容可能送信電力レベルと前記第１のリンクのサブフレーム（ｉ−１）の前記送信電力との関数である、請求項１に記載の方法。
【請求項３】
前記第２のリンクに対する前記最大送信電力レベルが、前記最大許容可能送信電力レベルと前記第１のリンクのサブフレームｉの前記送信電力との関数である、請求項１に記載の方法。
【請求項４】
前記第２のリンクに対する前記最大送信電力レベルが、前記最大許容可能送信電力レベルと前記第１のリンクのサブフレーム（ｉ−１）の前記送信電力と前記第１のリンクのサブフレームｉの前記送信電力との関数である、請求項１に記載の方法。
【請求項５】
前記無線デバイス（１２）から前記第１の無線ネットワークノード（１４）への前記第１のリンクのサブフレームｉに対する最大送信電力レベルを、前記最大許容可能送信電力レベルと前記第２のリンクのサブフレームｊの前記送信電力との関数として決定する（１００、４０４、７００、９００）ことと、
サブフレームｉに対する前記最大送信電力レベルを超えないように、サブフレームｉにおいて、前記第１のリンク上で送信をする（１０２、４０６、７０２、９０２）ことと、
をさらに含む、請求項１に記載の方法。
【請求項６】
前記最大許容可能送信電力レベルがサブフレームごとに変動する、請求項１に記載の方法。
【請求項７】
前記第１および第２のリンクが非同期であり重複する送信を有しており、
前記第１のリンクのサブフレームと前記第２のリンクの重複するサブフレームとにわたる全送信電力が前記第１のリンクの前記サブフレームに対する最大許容可能送信電力レベルを超えるかどうかを決定する（１３００）ことと、
前記第１のリンクの前記サブフレームと前記第２のリンクの前記重複するサブフレームとにわたる前記全送信電力が前記第１のリンクの前記サブフレームに対する最大許容可能送信電力レベルを超える場合には、スケーリングの後に前記第１のリンクの前記サブフレームと前記第２のリンクの前記重複するサブフレームとにわたる前記全送信電力が前記第１のリンクの前記サブフレームに対する前記最大許容可能送信電力レベルを超えないように、前記第１のリンクの前記サブフレームにおけるアップリンクチャネルまたは信号に対する送信電力レベルをスケーリングする（１３０２）ことと、
をさらに備える、請求項１に記載の方法。
【請求項８】
請求項１から７のいずれか一項に記載の方法に従って動作する無線デバイス（１２）。
【請求項９】
無線通信ネットワーク（１０）における第１の無線ネットワークノード（１４）への第１のリンクと、前記無線通信ネットワーク（１０）における第２の無線ネットワークノード（１６）への第２のリンクとを有する、無線デバイス（１２）であって、
前記第１のリンクに対する設定された最大送信電力レベルを、無線リソース制御（ＲＲＣ）シグナリング経由で受信するための手段と、
前記無線デバイス（１２）から前記第２の無線ネットワークノード（１６）への前記第２のリンクに対する最大送信電力レベルを決定するための手段であって、前記第２のリンクに対する最大送信電力レベルが、最大許容可能送信電力レベルと、前記第１のリンクのサブフレーム（ｉ−１）及びサブフレームｉのうちの少なくとも一方の送信電力との関数であり、前記第１のリンクのサブフレーム（ｉ−１）及びサブフレームｉのうちの少なくとも一方の送信電力は、前記第１のリンクに対する設定された最大送信電力レベルにより制限されている、決定するための手段と、
前記第２のリンク上で、サブフレームｊにおいて、前記第２のリンクに対する前記最大送信電力レベルを超えないように送信をするための手段と、
を備え、
前記第１のリンク及び前記第２リンクは、前記第１のリンクのサブフレーム（ｉ−１）及びサブフレームｉの時間スロットが前記第２のリンクのサブフレームｊの時間スロットと部分的に重複する、同時的なデュアルコネクティビティ接続であり、
前記第１のリンク及び前記第２リンクの各々は、複数のアグリゲートされたキャリアと、制御チャネル又はランダムアクセスチャネルを含む複数のアップリンクチャネルタイプとをサポートするように設定されており、
前記無線デバイス（１２）から前記第１の無線ネットワークノード（１４）への前記第１のリンクに対する最大送信電力レベルと前記第２のリンクに対する前記最大送信電力レベルとの和が前記最大許容可能送信電力レベル以下である、無線デバイス（１２）。
【請求項１０】
無線通信ネットワーク（１０）における第１の無線ネットワークノード（１４）への第１のリンクと、前記無線通信ネットワーク（１０）における第２の無線ネットワークノード（１６）への第２のリンクとを有する、無線デバイス（１２、３６）であって、
送信機（４４）と、
少なくとも１つのプロセッサ（３８）と、
前記少なくとも１つのプロセッサ（３８）によって実行可能なソフトウェア命令を包含するメモリ（４０）とを備え、これにより、前記無線デバイス（１２、３６）が、
前記第１のリンクに対する設定された最大送信電力レベルを、無線リソース制御（ＲＲＣ）シグナリング経由で受信し、
前記無線デバイス（１２）から前記第２の無線ネットワークノード（１６）への前記第２のリンクに対する最大送信電力レベルを決定し、
前記送信機（４４）を経由して、前記第２のリンク上で、サブフレームｊにおいて、前記第２のリンクに対する前記最大送信電力レベルを超えないように送信をする、
ように動作し、
前記第１のリンク及び前記第２リンクは、前記第１のリンクのサブフレーム（ｉ−１）及びサブフレームｉの時間スロットが前記第２のリンクのサブフレームｊの時間スロットと部分的に重複する、同時的なデュアルコネクティビティ接続であり、
前記第１のリンク及び前記第２リンクの各々は、複数のアグリゲートされたキャリアと、制御チャネル又はランダムアクセスチャネルを含む複数のアップリンクチャネルタイプとをサポートするように設定されており、
前記第２のリンクに対する最大送信電力レベルが、最大許容可能送信電力レベルと、前記第１のリンクのサブフレーム（ｉ−１）及びサブフレームｉのうちの少なくとも一方の送信電力との関数であり、前記第１のリンクのサブフレーム（ｉ−１）及びサブフレームｉのうちの少なくとも一方の送信電力は、前記第１のリンクに対する設定された最大送信電力レベルにより制限されており、
前記無線デバイス（１２）から前記第１の無線ネットワークノード（１４）への前記第１のリンクに対する最大送信電力レベルと前記第２のリンクに対する前記最大送信電力レベルとの和が前記最大許容可能送信電力レベル以下である、無線デバイス（１２、３６）。
【請求項１１】
少なくとも１つのプロセッサの上で実行されると、前記少なくとも１つのプロセッサに、請求項１から７のいずれか一項に記載された方法を行わせる命令を備えるコンピュータプログラム。
【請求項１２】
請求項１１の前記コンピュータプログラムを包含するコンピュータ可読記憶媒体。
【外国語明細書】
2020080536000001.pdf